(57)【特許請求の範囲】
【請求項１】
プログレッシブ眼鏡レンズのためのデザインを生成あるいは計算するためにコンピュータで実行される方法において、
−  開始デザインを定めるステップであって、該開始デザインは、
−  主線（４０；７０）の経路と、
−  主線（４０；７０）に沿う目標非点収差値Ａ（ｕ＝０，ｙ）と、
−  ｕＧ（ｙ）＝ｆ（ｙ）の形式の一次元の関数によって表される、少なくとも１つのベース目標等非点収差線（１０，１０’；５０，５０’）の経路と、を備える、ステップと、
−  開始デザインを変換するステップであって、開始デザインを変換するステップは、  
−  ベース目標等非点収差線（１０，１０’；５０，５０’）の経路を変更することｕＧ（ｙ）→ｕ’Ｇ（ｙ）と、
−  主線（４０；７０）上の目標非点収差値Ａ（ｕ＝０，ｙ）と、変更されたベース目標等非点収差線（１０１，１０１’；５０１，５０１’）上の目標等非点収差値Ａ（ｕ’Ｇ（ｙ），ｙ）との間の補間によって、計算されるべきデザインの目標非点収差値Ａ（ｕ，ｙ）の空間分布を計算することと、を含む、ステップと、
を備え、ここで、
ｕが、眼鏡レンズデザインの点（ｕ，ｙ）の主線（４０；７０）からの水平距離を示し、
ｙが、眼鏡レンズデザインの点（ｕ，ｙ）の垂直座標を示し、
ｕＧ（ｙ）が、ベース目標等非点収差線（１０，１０’；５０，５０’）上の点（ｕＧ（ｙ），ｙ）の主線４０；７０）からの水平距離を示し、
ｕ’Ｇ（ｙ）が、変更されたベース目標等非点収差線（１０１，１０１’；５０１，５０１’）上の点（ｕＧ（ｙ），ｙ）の主線からの水平距離を示し、
ベース目標等非点収差線（１０，１０’；５０，５０’）は、予め決定された第１の制御点
【数１】
0005666472.tif 000066
を通り、
ベース目標等非点収差線（１０，１０’；５０，５０’）の経路を変更することが、
−  予め決定されたカーブに沿って第１の制御点をシフトさせるステップ
【数２】
0005666472.tif 000067
と、
−  変更されたベース目標等非点収差線（１０１，１０１’；５０１，５０１’）を、それがシフトされた第１の制御点
【数３】
0005666472.tif 000068
を通るよう計算するステップと、
を備えた、
方法。
【請求項２】
前記補間は、線形補間、四次補間、または、三次補間である請求項１に記載の方法。
【請求項３】
−  開始デザインは、遠見部および／または近見部または遠見帯および／または近見帯における、前記ベース目標等非点収差線が通る前記第１の制御点とは異なる制御点を通る、更なる目標等非点収差線（２０，２０’；６０，６０’）の経路をさらに含み、更なる目標等非点収差線（２０，２０’；６０，６０’）は、ｕＺ（ｙ）＝ｆＺ（ｙ）の形式の一次元の関数によって表され、
−  開始デザインの変換は、開始デザインの更なる目標等非点収差線（２０，２０’；６０，６０’）の経路を変更することｕＺ（ｙ）→ｕ’Ｚ（ｙ）をさらに含んでおり、    主線（４０，７０）上の目標非点収差値と、変更されたベース目標等非点収差線（１０，１０’；５０，５０’）上の目標非点収差値との間の補間は、
−  主線（４０，７０）上の目標非点収差値Ａ（ｕ＝０，ｙ）と、変更された更なる目標等非点収差線（２０１，２０１’；６０１，６０１’）上の目標非点収差値Ａ（ｕ’Ｚ（ｙ），ｙ）との間の補間と、
−  変更された更なる目標等非点収差線（２０１，２０１’；６０１，６０１’）上の目標非点収差値Ａ（ｕ’Ｚ（ｙ），ｙ）と、変更されたベース目標等非点収差線（１０１，１０１’；５０１，５０１’）上の目標非点収差値Ａ（ｕ’Ｇ（ｙ），ｙ）との間の補間と、
を含み、ここで、
ｕＺ（ｙ）が、開始デザインの更なる目標等非点収差線（２０，２０’；６０，６０’）上の点（ｕＺ（ｙ），ｙ）の、主線（４０，７０）からの水平距離を示し、  ｕ’Ｚ（ｙ）が、変更された更なる目標等非点収差線（２０１，２０１’；６０１，６０１’）上の点（ｕ’Ｚ（ｙ），ｙ）の、主線（４０，７０）からの水平距離を示す、請求項１または２に記載の方法。
【請求項４】
累進帯において、ベース目標等非点収差線の経路が変更されない、請求項１乃至３のいずれか一項に記載の方法。
【請求項５】
ベース目標等非点収差線（１０，１０’；５０，５０’）は、予め決定された第２の制御点
【数４】
0005666472.tif 000069
をさらに通り、
ベース目標等非点収差線（１０，１０’；５０，５０’）の経路を変更することは、
−  予め決定されたカーブに沿って第２の制御点をシフトさせるステップ
【数５】
0005666472.tif 000070
と、
−  変更されたベース目標等非点収差線（１０１，１０１’；５０１，５０１’）を、それがシフトされた第２の制御点
【数６】
0005666472.tif 000071
を通るよう計算するステップと、
をさらに備えた、請求項１乃至４のいずれか一項に記載の方法。
【請求項６】
ベース目標等非点収差線（１０，１０’；５０，５０’）および変更されたベース目標等非点収差線（１０１，１０１’；５０１，５０１’）は、予め決定された少なくとも１つの固定点
【数７】
0005666472.tif 000072
を通り
固定点では、条件
【数８】
0005666472.tif 000073
【数９】
0005666472.tif 000074
が満たされている、請求項１乃至５のいずれか一項に記載の方法。
【請求項７】
近見部において、ベース目標等非点収差線（１０，１０’；５０，５０’）の経路が、パラメータまたは係数ａｎ、ｂｎ、ｃｎ、ｄｎを伴う以下の関数
【数１０】
0005666472.tif 000075
によって表わされる、請求項１乃至６のいずれか一項に記載の方法。
【請求項８】
遠見部において、ベース目標等非点収差線（１０，１０’；５０，５０’）の経路が、パラメータａｆ、ｂｆ、ｃｆを伴う以下のｎ次多項式
【数１１】
0005666472.tif 000076
によって表わされる、請求項１乃至７のいずれか一項に記載の方法。
【請求項９】
遠見部において、ベース目標等非点収差線（１０，１０’；５０，５０’）の経路が、パラメータａ、ｂ、ｃ、ｄを伴う以下の関数
【数１２】
0005666472.tif 000077
によって表わされる、請求項１乃至７のいずれか一項に記載の方法。
【請求項１０】
ベース目標等非点収差線（１０，１０’；５０，５０’）の経路が、眼鏡着用者の個々のデータを考慮して変更される、請求項１乃至９のいずれか一項に記載の方法。
【請求項１１】
ベース目標等非点収差線（１０，１０’；５０，５０’）の経路を変更するときに考慮に入れられる、眼鏡着用者の個々のデータが、
−  フレームおよび心取りデータ
に関連するデータを含む、請求項１０に記載の方法。
【請求項１２】
眼鏡着用者の個々のパラメータを取得するステップをさらに備える、請求項１乃至１１のいずれか一項に記載の方法。
【請求項１３】
開始デザインが、所定の物体距離モデルに基づく物体距離の逆数として規定される物体距離関数に関する仕様を更に含み、
前記方法が、開始デザインの物体距離関数の変換を更に含む、請求項１乃至１２のいずれか一項に記載の方法。
【請求項１４】
予め定められた開始デザインの変換を実施するよう適合されたデザイン変換手段を備えた、プログレッシブ眼鏡レンズのデザインを生成あるいは計算するための装置であって、  前記開始デザインは、
−  主線（４０；７０）の経路と、
−  主線（４０；７０）に沿う目標非点収差値Ａ（ｕ＝０，ｙ）と、
−  ｕＧ（ｙ）＝ｆ（ｙ）の形式の一次元の関数によって表される、少なくとも１つのベース目標等非点収差線（１０，１０’；５０，５０’）の経路と、を含み、  前記デザイン変換手段は、
−  ベース目標等非点収差線（１０，１０’；５０，５０’）の経路の変更ｕＧ（ｙ）→ｕ’Ｇ（ｙ）を実施するよう適合された計算手段と、
−  主線（４０；７０）上の目標非点収差値Ａ（ｕ＝０，ｙ）と、変更されたベース目標等非点収差線（１０１，１０１’；５０１，５０１’）上の目標非点収差値Ａ（ｕＧ’（ｙ），ｙ）との間の補間によって、計算されるべきデザインの目標非点収差値Ａ（ｕ，ｙ）の計算を実施するよう適合された計算手段と、を含み、
ここで、
ｕは、眼鏡レンズデザインの点（ｕ，ｙ）の主線（４０；７０）からの水平距離を示し、
ｙは、眼鏡レンズデザインの点（ｕ，ｙ）の垂直座標を示し、
ｕＧ（ｙ）は、ベース目標等非点収差線（１０，１０’；５０，５０’）上の点（ｕＧ（ｙ），ｙ）の主線（４０；７０）からの水平距離を示し、
ｕＧ’（ｙ）は、変更されたベース目標等非点収差線（１０１，１０１’；５０１，５０１’）上の点（ｕＧ’（ｙ），ｙ）の主線（４０；７０）からの水平距離を示し、
ベース目標等非点収差線（１０，１０’；５０，５０’）は、予め決定された第１の制御点
【数１３】
0005666472.tif 000078
を通り、
ベース目標等非点収差線（１０，１０’；５０，５０’）の経路を変更する計算手段が、
−  予め決定されたカーブに沿って第１の制御点をシフトさせる手段
【数１４】
0005666472.tif 000079
と、
−  変更されたベース目標等非点収差線（１０１，１０１’；５０１，５０１’）を、それがシフトされた第１の制御点
【数１５】
0005666472.tif 000080
を通るよう計算する手段と、
を備えた、
装置。
【請求項１５】
コンピュータプログラムプロダクトであって、
コンピュータにロードされて実行されるときに、プログレッシブ眼鏡レンズのためのデザインを生成あるいは計算するための請求項１乃至１３のいずれか一項に記載の方法を実行するよう適合されている、コンピュータプログラムプロダクト。
【請求項１６】
コンピュータプログラムが記憶された記憶媒体であって、
コンピュータプログラムは、コンピュータにロードされて実行されるときに、プログレッシブ眼鏡レンズのためのデザインを生成あるいは計算するための請求項１乃至１３のいずれか一項に記載の方法を実行するよう適合されている、記憶媒体。
【請求項１７】
プログレッシブ眼鏡レンズを形成するための方法であって、
−  デザインを生成あるいは計算するための請求項１乃至１３のいずれか一項に記載の方法にしたがって眼鏡レンズのためのデザインを計算することと、
−  計算された眼鏡レンズデザインに基づいて眼鏡レンズを計算あるいは最適化することと、
を含む、方法。
【請求項１８】
眼鏡レンズの計算あるいは最適化が、眼鏡着用者の個々のデータを考慮に入れて実行される、請求項１７に記載の方法。
【請求項１９】
プログレッシブ眼鏡レンズを形成するための装置であって、
−  デザインを生成あるいは計算するための請求項１乃至１３のいずれか一項に記載の方法にしたがって眼鏡レンズのためのデザインを計算するよう適合されたデザイン計算手段と、
−  計算された眼鏡レンズデザインに基づいて眼鏡レンズを計算あるいは最適化するよう適合された最適化あるいは計算手段と、
を含む、装置。
【請求項２０】
コンピュータにロードされて実行されるときに、プログレッシブ眼鏡レンズを計算あるいは最適化するための方法を実行するよう適合されたコンピュータプログラムプロダクトであって、
前記方法は、
−  デザインを生成あるいは計算するための請求項１乃至１３のいずれか一項に記載の方法にしたがって眼鏡レンズのためのデザインを計算するステップと、
−  計算された眼鏡レンズデザインに基づいて眼鏡レンズを計算あるいは最適化するステップと、
を含む、コンピュータプログラムプロダクト。
【請求項２１】
コンピュータにロードされて実行されるときに、プログレッシブ眼鏡レンズを計算あるいは最適化するための方法を実行するよう適合されたコンピュータプログラムが記憶された記憶媒体であって、
前記方法は、
−  個々のデザインを生成あるいは計算するための請求項１乃至１３のいずれか一項に記載の方法にしたがって眼鏡レンズデザインを計算するステップと、
−  計算された眼鏡レンズデザインに基づいて眼鏡レンズを計算あるいは最適化するステップと、
を含む、記憶媒体。
【請求項２２】
請求項１７または１８に記載の形成方法にしたがって形成される眼鏡レンズの使用であって、
眼鏡着用者の視覚障害を補正するための、特定の眼鏡着用者の眼の前方の眼鏡レンズの所定の平均着用位置または個々の着用位置での使用。
【発明の詳細な説明】
【技術分野】
【０００１】
本発明は、個々の眼鏡レンズデザインを計算するための方法、個々の眼鏡レンズを形成するための方法、個々の眼鏡レンズデザインを計算して個々の眼鏡レンズを形成するための対応する装置、対応するコンピュータプログラムプロダクト、および、記憶媒体、並びに、眼鏡レンズの使用に関する。
【背景技術】
【０００２】
それぞれの着用位置および着用状況におけるプログレッシブ眼鏡レンズの計算および最適化は、高い技術的で光学的な基準を達成してきた。例えば、従来技術によれば、個々の処方（球面度数、円柱度数、軸線、加入度数、プリズム、ベース）、および、眼鏡着用者の眼の前方のレンズの個々の位置または配置（角膜頂点間距離（ＣＶＤ）、顔形角（ＦＦＡ）、前傾、または、広角）、並びに、生理学的パラメータ（例えば瞳孔間距離）を考慮に入れて、注文を受けた後に独自のオンラインとしてプログレッシブ眼鏡レンズが最適化されて計算され得る。しかしながら、通例、顧客は、累進長のみが異なる数少ない（通常は２つ）眼鏡レンズデザインから選択するしかない。
【０００３】
また、従来技術によれば、新たに開発されるべき各デザインに、特に各累進帯長に、独自のあるいは個々の目標値（デザイン）が生成されて預けられる。例えば、汎用プログレッシブレンズに加えて、様々な特別なプログレッシブレンズのためのデザインも開発される。様々な特別なプログレッシブレンズのためのデザインは、多くの場合、主要な視対象に関して、すなわち近見帯および遠見帯における主視認方向に関してのみ異なるものである。様々な特別なプログレッシブレンズのためのデザインも開発される。したがって、ＰＣＴ／ＤＥ０１／００１８８は、異なる用途（ドライバー、パイロット、時計屋など）のためのデザインを直ぐに定めることを提案する。デザイン生成に関する、並びに、製造者による多くの異なるデザインのロジスティクスおよび眼鏡技師による必要な製品訓練コースに関する、この非常に複雑な手続きにもかかわらず、これらの標準的なデザインを用いて個々の着用状況に対して満足に対応することは多くの場合不可能である。
【先行技術文献】
【特許文献】
【０００４】
【特許文献１】ＰＣＴ／ＤＥ０１／００１８８
【発明の概要】
【発明が解決しようとする課題】
【０００５】
本発明の目的は、眼鏡レンズデザイン、特に個々の眼鏡レンズデザインを計算するための高速で、効率的で、柔軟な方法、および、それによって計算された眼鏡レンズデザインにしたがって眼鏡レンズを形成するための方法を提供することである。また、本発明の目的は、眼鏡レンズ、特に個々の眼鏡レンズを形成するための対応する装置、および、対応するコンピュータプログラムプロダクトおよび記憶媒体を提供することである。更に、本発明の目的は、眼鏡レンズデザインを計算するための方法であって、眼鏡レンズデザインを、個人の選好、使用の主要な焦点、フレームデータ、および、眼鏡着用者の他の個人のデータに、改良された仕方で合わせる方法を提供することである。
【課題を解決するための手段】
【０００６】
この目的は、請求項１の特徴を含む眼鏡レンズデザインを計算あるいは最適化するための方法、請求項１６の特徴を含む眼鏡レンズデザインを計算あるいは最適化するための装置、請求項１７の特徴を含むコンピュータプログラムプロダクト、請求項１８の特徴を含む記憶媒体、請求項１９の特徴を含むプログレッシブ眼鏡レンズを形成するための方法、請求項２１の特徴を含むプログレッシブ眼鏡レンズを形成するための装置、請求項２２の特徴を含むコンピュータプログラムプロダクト、請求項２３の特徴を含む記憶媒体、および、請求項２４の特徴を含む眼鏡レンズの使用によって解決される。好ましい実施形態が、従属請求項の主題となっている。
【０００７】
本発明の一態様によれば、提案されるプログレッシブ眼鏡レンズのためのデザインを生成あるいは計算するためにコンピュータで実行される方法において、
−  主線を特定するステップと、
−  主線に沿う目標非点収差値Ａ（ｕ＝０，ｙ）を特定するステップと、
−  少なくとも１つのベース目標等非点収差線の経路を特定するステップであって、ベース目標等非点収差線の経路が、ｕＧ（ｙ）＝ｆ（ｙ）の形式の一次関数によって表される、ステップと、
−  主線上の目標非点収差値Ａ（ｕ＝０，ｙ）とベース目標等非点収差線上の目標等非点収差値Ａ（ｕＧ（ｙ），ｙ）との間の補間によって計算されるべきデザインの目標非点収差値Ａ（ｕ，ｙ）の空間分布を計算するステップと、
を備え、ここで、
ｕが、眼鏡レンズデザインの点（ｕ，ｙ）の主線からの水平距離を示し、
ｙが、眼鏡レンズデザインの点（ｕ，ｙ）の垂直座標を示し、
ｕＧ（ｙ）が、ベース目標等非点収差線上の点（ｕＧ（ｙ），ｙ）の主線からの水平距離を示す、
方法が提供される。
【０００８】
本発明のさらなる態様によれば、提案されるプログレッシブ眼鏡レンズのためのデザインを生成あるいは計算するためにコンピュータで実行される方法において、
−  開始デザインを定めるステップであって、該開始デザインは、
−  主線の仕様と、
−  主線に沿う目標非点収差値Ａ（ｕ＝０，ｙ）のための仕様と、
−  少なくとも１つのベース目標等非点収差線の経路のための仕様であって、ベース目標等非点収差線の経路が、ｕＧ（ｙ）＝ｆ（ｙ）の形式の一次関数によって表される、仕様と、を備える、ステップと、
−  開始デザインを変換するステップであって、開始デザインを変換するステップは、
−  ベース目標等非点収差線の経路を変更することｕＧ（ｙ）→ｕ’Ｇ（ｙ）と、
−  主線上の目標非点収差値Ａ（ｕ＝０，ｙ）と変更されたベース目標等非点収差線上の目標等非点収差値Ａ（ｕ’Ｇ（ｙ），ｙ）との間の補間によって計算されるべきデザインの目標非点収差値Ａ（ｕ，ｙ）の空間分布を計算することと、を含む、ステップと、
を備え、ここで、
ｕが、眼鏡レンズデザインの点（ｕ，ｙ）の主線からの水平距離を示し、
ｙが、眼鏡レンズデザインの点（ｕ，ｙ）の垂直座標を示し、
ｕＧ（ｙ）が、ベース目標等非点収差線上の点（ｕＧ（ｙ），ｙ）の主線からの水平距離を示し、
ｕ’Ｇ（ｙ）が、変更されたベース目標等非点収差線上の点（ｕＧ（ｙ），ｙ）の主線からの水平距離を示す、
方法が提供される。
【０００９】
プログレッシブ眼鏡レンズの最適化は、通常、プログレッシブ眼鏡レンズの少なくとも１つの収差（特に、非点収差偏差のための目標値）のための所望値または目標値が考慮に入れられる目的関数を最小にすることによって行われる。  目的関数において考慮に入れられる少なくとも１つの収差、特に非点収差偏差は、眼鏡レンズのデザインを特徴付ける。
【００１０】
例えば、プログレッシブ眼鏡レンズのデザインベースの最適化は、以下の形式の目的関数を最小にすることにより行われ得る。
【数１】
0005666472.tif 000002
【００１１】
上記式において、
ΔＲｉ，ｔａｒｇｅｔは、ｉ番目の評価点における局所屈折誤差の目標値であり、
ΔＲｉは、ｉ番目の評価点における実際の局所屈折誤差であり、
Ａｓｔｉ，ｔａｒｇｅｔは、ｉ番目の評価点における局所非点収差偏差または局所非点収差誤差の目標値であり、
Ａｓｔｉは、ｉ番目の評価点における実際の局所非点収差偏差または実際の局所非点収差誤差であり、
ｇｉ，ΔＲは、ｉ番目の評価点における屈折誤差の局所重み付けであり、
ｇｉ，Ａｓｔは、ｉ番目の評価点における非点収差偏差または非点収差誤差の局所重み付けである。
【００１２】
屈折誤差は、眼鏡レンズの屈折力と、屈折能測定により決定される屈折力との差を表している。非点収差偏差または非点収差誤差は、眼鏡レンズの非点収差と、屈折能測定によって決定される非点収差との差を表している。好ましくは、これらは、眼鏡レンズの着用位置における値、すなわち、眼鏡レンズ／眼の系を考慮に入れる値である。
【００１３】
収差ΔＲｉおよびΔＲｉ，ｔａｒｇｅｔ、並びにＡｓｔｉおよびＡｓｔｉ，ｔａｒｇｅｔの空間分布は、ΔＲ（ｘ，ｙ）およびΔＲｔａｒｇｅｔ（ｘ，ｙ）、並びにＡｓｔ（ｘ，ｙ）およびＡｓｔｔａｒｇｅｔ（ｘ，ｙ）の形式でそれぞれ示すことができる。
【００１４】
ここで、座標系は、例えば、（物体側または眼側において）最適化されるべき眼鏡レンズの表面における座標系に関連しており、座標系の原点は、（未加工の円形の）眼鏡レンズの幾何学的中心、または、眼鏡レンズの心取りあるいは取付点と一致していてもよい。垂直（「ｙ」）および水平（「ｘ」）軸は、幾何学的中心または心取りあるいは取付点において、眼鏡レンズのそれぞれの（眼側または物体側）表面に対する接平面内に位置している。垂直方向は、眼鏡レンズの着用位置における垂直方向に関連することが好ましい。この場合、眼鏡レンズは、例えば（例えばＤＩＮ  ５８  ２０８  ｐａｒｔ  ２に定められるような）平均着用位置または個々の着用位置に配置される。眼鏡レンズは個々の着用位置に配置されるのが好ましい。無論、他の適した座標系で収差の空間分布を示すこともできる。特に、ｙ軸（ｘ＝０）に関してではなく、主線（主線ではｕ＝０が成り立つ）に関して最適化されるべき表面の座標系によって、すなわち、ΔＲ（ｕ，ｙ）、ΔＲｔａｒｇｅｔ（ｕ，ｙ）、Ａｓｔ（ｕ，ｙ）、および、Ａｓｔｔａｒｇｅｔ（ｕ，ｙ）の形式によって最適化値を示すことが好ましい。目標値または最適化目標値が主線に関して特定される場合には、考慮に入れられるべき眼鏡レンズの着用位置が変えられるとき、特に瞳孔間距離、角膜頂点間距離、前傾、物体距離モデル等が変えられるときに、変えられた主視線に対して主線を適合させるだけで十分である。その結果、目標値または最適化目標値が自動的に調整される。
【００１５】
眼鏡レンズの最適化において目標値として考慮に入れられる、眼鏡レンズにわたる収差の目標値（特に非点収差偏差Ａｓｔｉ，ｔａｒｇｅｔまたはＡｓｔｔａｒｇｅｔ（ｘ，ｙ）またはＡｓｔｔａｒｇｅｔ（ｕ，ｙ））、および随意的には収差の局所重み付け（ｇｉ，Ｒ、ｇｉ，ΔＲ）の空間分布は、プログレッシブ眼鏡レンズのデザインを特徴付ける。言い換えれば、眼鏡レンズのデザインは、通常、眼鏡レンズの最適化において目標値として考慮に入れられる１つまたは２つ以上の収差のための目標値（特に非点収差偏差Ａｓｔｉ，ｔａｒｇｅｔまたはＡｓｔｔａｒｇｅｔ（ｘ，ｙ）またはＡｓｔｔａｒｇｅｔ（ｕ，ｙ））の分布を備える。
【００１６】
ここで、特に、主線、および、眼鏡レンズにわたる非点収差偏差の目標値Ａｓｔｉ，ｔａｒｇｅｔまたはＡｓｔｔａｒｇｅｔ（ｘ，ｙ）またはＡｓｔｔａｒｇｅｔ（ｕ，ｙ）の空間分布は、プログレッシブ眼鏡レンズのデザイン定義および最適化において中心的な役割を果たす。例えば、プログレッシブレンズデザインの分類および視野サイズの評価は、非点収差分布に基づいて適切に行なわれる。また、眼鏡レンズデザインは、屈折誤差、倍率誤差、歪み誤差、または、他の収差のための目標値の分布を備えることもできる。ここで、これらの値は、表面値、または、好ましくは着用値、すなわち、眼鏡レンズの着用位置における値であり得る。
【００１７】
また、眼鏡レンズデザインは適切な物体距離モデルを備えることができる。例えば、物体モデルは、主線に沿う相互物体距離（ｒｅｃｉｐｒｏｃａｌ  ｏｂｊｅｃｔ  ｄｉｓｔａｎｃｅ）として規定される物体距離関数を備えることができる。標準化された物体距離モデルは例えばＤＩＮ  ５８  ２０８  ｐａｒｔ  ２（画像６参照）に示されている。しかしながら、物体距離モデルは、この標準的な物体距離モデルから逸脱することがあり得る。
【００１８】
主線は略直線または曲線であると理解され、該主線に沿って遠見部から近見部への眼鏡レンズの屈折力の所望の増大が達成される。主線は、眼鏡レンズ上下に対して、すなわち、略垂直方向に沿ってほぼ中心付けられる。したがって、主線は、目標値の記述のために（物体側または眼側の）最適化されるべき表面の座標系において構成線を構成する。眼鏡レンズの主線の経路は、それが主視線に少なくともほぼ従うように選択される。主線を主視線に適合させるための方法は例えばＥＰ１２７７０７９に記載されている。主視線は、２つの眼球の回転中心の距離を二等分する垂直面（いわゆる、単眼面）内に位置する線を見るときにそれぞれの眼鏡レンズ表面を通り抜ける主光線の一連の貫通点であると理解される。眼鏡レンズ表面は物体側表面または眼側表面であってもよい。単眼面内の線の位置は、選択された物体距離モデルによって決定される。
【００１９】
プログレッシブ眼鏡レンズデザインは、通常、遠見帯、近見帯、および、中間帯または累進帯を備える。より高い収差が許容される外周帯と比較して良好な結像特性を有する内側帯の画定は、通常、規定される目標等非点収差線によって得られる。眼着用光学素子では、大抵、それに沿う非点収差の大きさが０．５Ｄに等しい等非点収差線が、この目的を達成するために使用される。この線は、以下で詳しく説明するように、目標仕様のための非点収差モデルの構成のために使用されるのが好ましい。
【００２０】
異なるデザインを有する（すなわち、収差のための、特に非点収差のための異なる目標仕様を有する）プログレッシブレンズを形成するため、対応する異なるデザインまたは目標仕様が生成あるいは計算されなければならず、また、その後に最適化が行なわれなければならない。その結果、この出願によって定められる眼鏡レンズデザインを生成あるいは計算することは、眼鏡レンズデザインと関連付けられる個々の収差のための目標仕様または目標値、特に非点収差偏差または目標非点収差のための目標仕様を計算あるいは生成することを含む。
【００２１】
本発明によれば、通常の手法とは異なり、預けられた旧来の目標仕様から新たな目標仕様が導出される。したがって、本発明に係る方法を用いると、様々な幅の遠見および／または近見視覚帯および／または低いあるいは高い非点収差勾配を有する個々のプログレッシブレンズデザインを、既知の目標仕様を有する既存のプログレッシブレンズデザイン（以下、開始デザインまたは基本デザインと称される）から直接に生成することができる。全てのデザイン変更が同じ開始デザインから得られるため、移行がスムーズである。したがって、顧客ニーズを最良の想定し得る方法で常に満たすために、任意の数のデザインバリエーションが生成され得る。
【００２２】
デザイン変更は、開始デザイン、特に非点収差偏差または目標非点収差値のための目標値の最適化目標仕様の適切な変化によって行なわれる。
【００２３】
この目的を達成するために、何よりも最初に、            
−  主線または主線の経路の仕様と、
−  主線に沿う目標非点収差値Ａｔａｒｇｅｔ（ｕ＝０，ｙ）のための仕様と、
−  ベース目標等非点収差線の間の経路のための仕様であって、ベース目標等非点収差線の経路が、ｕＧ（ｙ）＝ｆ（ｙ）の形式の一次関数によって表される、仕様と、
を備える開始デザインまたは開始仕様が定められる。
【００２４】
また、開始デザインまたは開始仕様は、好ましくは、主線に沿う屈折力経路のための仕様を備えている。開始デザインの更なるパラメータ、例えば
−  眼鏡レンズの外周における最大限に許容できる目標非点収差；および／または、
−  最大目標等非点収差線；および／または、
−  予め決定されあるいは予め決定可能な方向での遠見部および近見部におけるベース目標等非点収差線からの最大目標等非点収差線の距離、
を定めることもできる。
【００２５】
開始デザインと関連付けられる目標非点収差値Ａｔａｒｇｅｔ（ｕ，ｙ）の空間分布は、上記仕様に基づいて適切な補間により決定され得る。
【００２６】
あるいは、開始デザインまたは開始仕様は、眼鏡レンズの最適化されるべき領域の少なくとも一部にわたる目標非点収差値の空間分布を含むことができる。したがって、主線の経路、主線に沿う目標非点収差値、ベース目標等非点収差線の経路、および、開始デザインと関連付けられる随意的な更なるパラメータが、一意的に決定される。
【００２７】
また、開始デザインまたは開始仕様は、例えばその角膜頂点深さによって定められる開始表面を備えることができる。開始表面が特定されると、主線ＨＬの経路およびベース目標等非点収差線ＩＧの経路も一意的に特定される。
【００２８】
更に、開始デザインに応じて、最大限に許容できるデザイン変更が予め特定あるいは定められ得る。
【００２９】
この出願により定められる目標非点収差値Ａは、特に、非点収差偏差Ａｓｔｔａｒｇｅｔの目標値、または、眼鏡レンズの非点収差（表面非点収差または着用位置における非点収差）のための目標値であると理解される。
【００３０】
特に、非点収差仕様を構成するため、あるいは眼鏡レンズにわたる目標非点収差分布を計算するため、少なくとも１つのベース目標等非点収差線の経路、好ましくは眼鏡レンズの鼻側および側頭側のそれぞれの１つのベース目標等非点収差線が示されている。ベース目標等非点収差線の大きさＡＧを自由に選択することができ、有利な大きさは０．２５Ｄ〜１．０Ｄ、特に０．５Ｄである。
【００３１】
主線およびベース目標等非点収差線は、適切なパラメータ表示によって数学的に特定され得る。例えば、主線ＨＬの経路は、一次関数、好ましくはｆｕ（ｙ）なる形式の連続的な関数によって表され得る。主線は、関数ｆｕ（ｙ）が特定されるときに定められる。また、ベース目標等非点収差線の経路は、ｆＧ（ｙ）＝ｆ（ｙ）の形式の一次関数によって表され、または特定され得る。
【００３２】
好ましくは、一次関数ｆ（ｙ）は、少なくとも１回連続的に微分可能な関数である。さらに好ましくは、関数ｆ（ｙ）の一次導関数も、少なくとも１回連続的に微分可能な関数である。
【００３３】
主線および目標非点収差値の空間分布は、前述した座標系などの水平軸ｘと垂直軸ｙとを有する適切なデカルト座標系、すなわち、例えば眼鏡レンズの最適化されるべき表面内、好ましくは眼鏡レンズの眼側表面内の座標系で表示および計算され得る。該座標系の原点は、例えば、（未加工の円形の）眼鏡レンズの幾何学的中心と一致し、あるいは、眼鏡レンズの心取りまたは取付点と一致する。垂直（「ｙ」）軸および水平（「ｘ」）軸は、幾何学的中心または心取りあるいは取付点において、眼鏡レンズのそれぞれの（眼側または物体側、好ましくは眼側の）最適化されるべき表面に対する接平面内に位置する。垂直方向は、眼鏡レンズの着用位置における垂直方向に関連することが好ましく、この場合、眼鏡レンズは、例えば（例えばＤＩＮ  ５８  ２０８  ｐａｒｔ  ２に規定されるような）平均着用位置または個々の着用位置に配置される。好ましくは、眼鏡レンズは個々の着用位置に配置される。この座標系｛ｘ，ｙ｝において、主線上の点（ｘＨＬ，ｙ）の水平座標ｘＨＬは、形式ｆｕ（ｙ）の関数によって表わすことができる。すなわち、ｘＨＬ＝ｆｕ（ｙ）となる。
【００３４】
しかしながら、座標変換（ｘ，ｙ）→（ｕ，ｙ）を行なうこと、および、全ての計算をこの座標系で行なうことが有益であることが分かってきた。この場合、ｘ＝ｕ＋ｆｕ（ｙ）であり、ｕは主線からの点（ｕ，ｙ）の距離を示す。この座標系において、主線上の点は座標（ｕ＝０，ｙ）を有し、ベース目標等非点収差線の点は座標（ｕＧ（ｙ），ｙ）を有し、また、変更されたベース目標等非点収差線の点は座標（ｕ’Ｇ（ｙ），ｙ）を有する。
【００３５】
しかしながら、無論、全ての計算を座標系｛ｘ，ｙ｝であるいは別の適した座標系で行なうこともできる。
【００３６】
第２のステップにおいて、ベース目標等非点収差線が、予め定められた変換
【数２】
0005666472.tif 000003
に従って変更される。ここで、
【数３】
0005666472.tif 000004
となっている。
【００３７】
言い換えれば、ベース目標等非点収差線ＩＧの経路だけが変更され、ベース目標等非点収差線に沿う目標非点収差の一定の大きさＡＧは変更されない。
【００３８】
目標非点収差値は、主線と、変更されたベース目標等非点収差線との間で適切に補間される。従って、開始デザインの仕様に基づいて、または開始仕様に基づいて、主線とベース目標等非点収差線との間の目標非点収差値の空間分布が決定され得る。例えば、目標非点収差値は、線形補間、四次補間（quadrangular interpolation）、または、三次補間によって計算され得る。より高次の補間も考えられる。
【００３９】
以下、主線の所定の経路およびベース目標等非点収差線の所定の経路に基づく目標非点収差分布または目標非点収差値の典型的な計算または生成について詳しく説明する。
【００４０】
前述したように、所定のベース目標等非点収差線の経路は、一次関数ｕＧ（ｙ）によって特定され得る。無論、所定の主線と変更されたベース目標等非点収差線との間の目標非点収差分布は、後述する方法によっても計算され得る。この場合、以下の式において、変更されたベース目標等非点収差線Ｉ’Ｇの経路を表わす一次関数ｕ’Ｇ（ｙ）は、ベース目標等非点収差線ＩＧの経路を表わす一次関数ｕＧ（ｙ）に取って代わる。
【００４１】
目標非点収差値を水平断面で補間することができ、その場合、補間は、各水平断面において、主線上の所定の目標非点収差値Ａ（ｕ＝０，ｙ）＝Ａ０（ｙ）と、変更されたベース目標等非点収差線上の値Ａ（ｕ’Ｇ（ｙ），ｙ）＝ＡＧ＝ｃｏｎｓｔとの間で行なわれる。
【００４２】
ｕに関して、補間は、直線的に、四次的に（quadrangularly）、あるいは、以下の任意の屈折力関数により行なわれ得る。
【数４】
0005666472.tif 000005
【００４３】
特定の屈折力ｐの場合、係数ｂ（ｙ）が以下によって直接に決定され得る。
【数５】
0005666472.tif 000006
この場合、前述したように、ｕＧ（ｙ）は、主線からのベース目標等非点収差線の水平距離である。
【００４４】
その結果、補間を以下のように書き表すことができる。
【数６】
0005666472.tif 000007
【００４５】
屈折力ｐは、一般に可変態様で特定される。ｐが大きく選択されればされるほど、主線上の非点収差の横方向増大が滑らかになる。累進帯では、非点収差が一般にＭｉｎｋｗｉｔｚ定理にしたがって直線的に増大し、そのため、この帯域ではｐが１に選択されるのが好ましい。近見部の目標非点収差が減少するにつれて、ｐも同様に増大するのが好ましく、それにより、目標非点収差の水平増大が更に緩慢になる。このことは、近見部の拡張をもたらす。
【００４６】
眼鏡レンズの外周（すなわち、ベース目標等非点収差線と眼鏡レンズ周縁との間）では、値Ａｍａｘを有する外側の最大目標等非点収差線を更に特定することにより、また、遠見部および近見部においてベース目標等非点収差線からの最大目標等非点収差線の距離を特定することにより、目標非点収差分布を決定することができる。
【００４７】
特に、いわゆる平行カーブモデル法により、眼鏡レンズの外周の目標非点収差値を決定あるいは計算することができる。
【００４８】
この方法によれば、ベース目標等非点収差線および更なる目標等非点収差線のための平行カーブが、これらはベース目標等非点収差線に略並行となっていてもよいが、眼鏡レンズの外周で構成される。これらの目標等非点収差線の法線距離は、最大値Ａｍａｘと、正規曲線に沿うベース目標等非点収差線からの関連する距離とを特定することによって制御される。最大または外側目標等非点収差線の距離は、一定である必要はなく、距離関数ａ（ｙ）によって特定され得る。ａ（ｙ）の値が大きくなればなるほど、目標等非点収差線同士が互いに更に離れ、非点収差が更に滑らかに移行する。距離関数ａ（ｙ）は、遠見部の距離ａＦおよび近見部の距離ａＮが特定され、その後にｙにおいて線形補間されるよう、簡単な一次関数であってもよい。
【００４９】
眼鏡レンズの外周における任意の点Ｐ（ｕ，ｙ）の目標非点収差値は、例えば以下のように計算することができる。
１．その正規曲線が点Ｐ（ｕ，ｙ）を通るベース目標等非点収差線上の点ＰＧ（ｕＧ，ｙＧ）を、適切な数値法によって決定する、
２．２つの点Ｐ（ｕ，ｙ）およびＰＧ（ｕＧ，ｙＧ）の距離ｄを、以下のように計算する
【数７】
0005666472.tif 000008
３．ＡＧ（ｄ＝０）とＡｍａｘ（ａ（ｙＧ））との間の補間によって、関連する目標非点収差値Ａ（ｕ，ｙ）＝Ａ（ｄ，ａ（ｙＧ））を計算する。デザインに応じて、この補間は、例えば、線形補間、四次補間（ｑｕａｄｒａｎｇｕｌａｒ）、または、三次補間、または、他の適した補間であってもよい。好ましくは、補間が線形補間である。
【００５０】
あるいは、いわゆる円錐台モデル法にしたがって、眼鏡レンズの外周の目標非点収差値を計算することができる。
【００５１】
この方法は、遠見帯へ移行するときにベース目標等非点収差線が非常に大きく曲げられ、それにより、ベース目標等非点収差線の正規曲線が距離ａ（ｙ）内で既に交差する可能性がある場合に特に有益である。この場合、前述した方法によれば、外側目標等非点収差線をこれ以上明確に構成することができない。これは、上記方法が複数の解決策を与えるからである。目標等非点収差線は円錐台の輪郭線としてモデリングされ、円錐台のベース領域が目標等非点収差線によって画定される。円錐台の先端Ｓ（ｕＳＰ，ｙＳＰ）の位置と先端における関連する目標非点収差値ＡＳＰとを特定することにより、以下の方法にしたがって各点Ｐ（ｕ，ｙ）が一意的に目標非点収差値と関連付けられる。
１．点Ｐ、Ｓを通過する直線と円錐台の制限カーブとの交点Ｆ（ｕＦ，ｙＦ）を決定する、
２．距離を計算する：
【数８】
0005666472.tif 000009
【数９】
0005666472.tif 000010
３．目標非点収差値Ａ（ｕ，ｙ）を計算する：
【数１０】
0005666472.tif 000011
【数１１】
0005666472.tif 000012
【００５２】
図１０は、パラレルカーブモデル法（図１０ではＰＣモデルと称される）にしたがった、および、円錐台モデル法（図０ではＴＣモデルと称される）にしたがった、眼鏡レンズの外周での目標非点収差値の計算を示している。
【００５３】
好ましくは、眼鏡レンズの中心帯では、外周における目標非点収差値を計算するために円錐台モデル法が使用され、また、遠見部および近見部においてはパラレルカーブモデル法が使用される。
【００５４】
したがって、本発明に係る方法を用いると、眼鏡レンズのデザイナーは、任意のプログレッシブレンズデザインまたは目標非点収差の任意の分布を、高速且つ効率的な方法で生成あるいは変えることができる。特に、本発明に係る方法を用いると、既存のプログレッシブレンズデザイン（開始デザインまたは基本デザイン）のためのデザイン特性を、迅速且つ効率的に変更することができ、かつ、それを顧客ニーズに合わせることができる。また、比較的簡単で高速の計算により、低い、あるいは高い非点収差勾配を伴う更に大きな、あるいは更に小さな視覚帯を有する（例えば、大きいあるいは小さい遠見部、広いあるいは狭い近見部を有する）変形またはデザインを生成することができる。したがって、本質的な利点は、特に個々のプログレッシブ眼鏡レンズにとって適した目標仕様を生成するための前述の付加的な労力を回避できるという点である。更なる利点は、開始デザインのデザイン特性および良好な結像特性を失うことなく、所定の限界範囲内で視覚帯を任意に且つ無限に調整できる可能性である。したがって、顧客ニーズを最良の想定し得る方法で常に満たすために、任意の数のデザイン変形例を生成することができる。
【００５５】
さらに、本発明のアプローチによれば、目標仕様を生成するための係数が、更なるパラメータに基づいて、眼鏡レンズの最適化の直前にのみ適合され得る。従って、基本または開始デザインから、適切な用途デザインを迅速に導くことができる。本発明に係る方法を用いると、異なるデザイン変形例が迅速且つ効率的に生成され、かつ互いに対して検査され得るため、従来の、屈折力が最適化されたあるいは個々のプログレッシブ眼鏡レンズを開発して生成するための労力を著しく減らすことができる。
【００５６】
本発明による方法は、データベースによって制御される計算プロセスに特に適している。
【００５７】
本発明に係る方法は、
−  ドライバーのための、大きい、広い遠見部を有するプログレッシブレンズ、
−  大きい遠見部、低い加入度数、および、小さい勾配を有するスポーツ用プログレッシブレンズ（活動的な行動のためのレンズ）、
−  広い近見部と４０ｃｍの主作業焦点とを有するレンズ、
−  様々なコンピュータ職場用レンズ、並びに、近見レンズおよびルームレンズ、
などの異なる分野の用途に適合する個々のデザインを生成するのに特に適するとともに、生成されたデザインに基づいて個々の眼鏡レンズを形成するのに特に適する。
【００５８】
ベース目標等非点収差線ｕＧ（ｙ）＝ｆ（ｙ）は、異なる帯域へ分けられ得る。好ましくは、ベース目標等非点収差線は、２つの垂直座標ｙＦ，ｙＮを特定することにより、３つの帯域（遠見帯、累進帯、および、近見帯）へ分けられる。
【００５９】
累進帯（すなわち、ｙＮ≦ｙ≦ｙＦのとき）では、例えば、主線に沿う所定の屈折力経路が、伴うＭｉｎｋｗｉｔｚ定理にしたがって、あるいは、例えば開始デザインに含まれる所定の開始表面から、ベース目標等非点収差線の経路が直接に特定され、あるいは計算され得る。特に、Ｍｉｎｋｗｉｔｚ定理によれば、非点収差の横方向での増大が、主線に沿う屈折力の増大によって決定され得る。従って、境界線の点の主線からの水平距離、または、ベース等非点収差線のｕ座標が決定され得る。
【００６０】
遠見部および／または近見部において、ベース目標等非点収差線の連続または経路は、独立に特定することができ、あるいは自由に且つ無限に（特定の所定の限界内で）変更することができ、したがって、デザイン仕様を作ることができる。
【００６１】
好ましくは、ベース目標等非点収差線は、累進帯（すなわち、ｙＮ≦ｙ≦ｙＦのとき）では変換されない。したがって、導出された個々のデザインは、屈折力経路の特性と、それに関連する開始デザインの累進チャンネルの最小幅と、を維持する。
【００６２】
さらに好ましくは、開始デザインは、遠見部および／または近見部または遠見帯および／または近見帯における更なる目標等非点収差線の経路のための仕様を更に備えている。この場合、更なる目標等非点収差線の経路は、ｕＺ（ｙ）＝ｆＺ（ｙ）の形式の一次関数によって表される。開始デザインの変換は、開始デザインの更なる目標等非点収差線の経路を変更することをさらに含んでおり、この場合、主線上の目標非点収差値と、変更されたベース目標等非点収差線上の目標非点収差値との間の補間は、
−  主線上の目標非点収差値Ａ（ｕ＝０，ｙ）と、変更された更なる目標等非点収差線上の目標非点収差値Ａ（ｕ’Ｚ（ｙ），ｙ）との間の補間と、
−  変更された更なる目標等非点収差線上の目標非点収差値Ａ（ｕ’Ｚ（ｙ），ｙ）と、変更されたベース目標等非点収差線上の目標非点収差値Ａ（ｕ’Ｇ（ｙ），ｙ）との間の補間と、
を含み、ここで、
ｕＺ（ｙ）が、開始デザインの更なる目標等非点収差線上の点（ｕＺ（ｙ），ｙ）の、主線からの水平距離を示し、
ｕ’Ｚ（ｙ）が、変更された更なる目標等非点収差線上の点（ｕ’Ｚ（ｙ），ｙ）の、主線からの水平距離を示している。
【００６３】
好ましくは、一次関数ｆＺ（ｙ）は、少なくとも１回連続的に微分可能となっている。
【００６４】
開始デザインの更なる目標等非点収差線の経路は、予め定められた変換
【数１２】
0005666472.tif 000013
に従うことができ、この場合、Ａ（ｕＺ（ｙ），ｙ）＝Ａ（ｕ’Ｚ，ｙ）ＡＺ＝ｃｏｎｓｔとなっている。
【００６５】
特に遠見部において、補間は、更なる第２の目標等非点収差線（例えば、ＩＺ＝０．２５またはＡＺ＝０．２５Ｄ）によってより精密に制御され得る。この場合、補間は、最初は、主線と第２の更なる目標等非点収差線との間で行なわれ、その後、第２の更なる目標等非点収差線とベース目標等非点収差線との間で行なわれる。更なる第２の目標等非点収差線は、ベース目標等非点収差線との類推によって特定および計算あるいは変更され得る。主線上の目標非点収差値Ａ（ｕ＝０，ｙ）と、変更された更なる目標等非点収差線上の目標非点収差値Ａ（ｕ’Ｚ（ｙ），ｙ）との間の補間は、主線上の目標非点収差値Ａ（ｕ＝０，ｙ）と変更されたベース目標等非点収差線上の目標非点収差値Ａ（ｕ’Ｇ（ｙ），ｙ）との間の補間の類推によって行なわれる。
【００６６】
好ましくは、ベース目標等非点収差線は、予め決定された、あるいは予め決定可能な第１の制御点
【数１３】
0005666472.tif 000014
を通る。ベース目標等非点収差線の経路を変更することは、
−  予め決定された、あるいは予め決定可能なカーブに沿って第１の制御点をシフトさせるステップ
【数１４】
0005666472.tif 000015
と、
−  変更されたベース目標等非点収差線を、それがシフトされた第１の制御点
【数１５】
0005666472.tif 000016
を通るよう計算するステップと、
を備えている。
【００６７】
それに沿って第１の制御点がシフトされる予め決定されあるいは予め決定可能なカーブｕ→ｙ、Ｋ：ｕ→ｋ（ｕ）は、任意のカーブであることが可能である。好ましくは、当該カーブは直線からなっている。
【００６８】
さらに、ベース目標等非点収差線は、予め決定された、あるいは予め決定可能な第２の制御点
【数１６】
0005666472.tif 000017
を通ることができ、この場合、ベース目標等非点収差線の経路を変更することは、
−  予め決定された、あるいは予め決定可能なカーブに沿って第２の制御点をシフトさせるステップ
【数１７】
0005666472.tif 000018
と、
−  変更されたベース目標等非点収差線を、それがシフトされた第２の制御点
【数１８】
0005666472.tif 000019
を通るよう計算するステップと、
をさらに備えている。
【００６９】
同様に、それに沿って第２の制御点がシフトされる予め決定されあるいは予め決定可能なカーブは、任意のカーブであることが可能である。好ましくは、当該カーブは直線からなっている。
【００７０】
また、ベース目標等非点収差線が更なる制御点を通過することもできる。更なる制御点は、対応する予め決定されあるいは予め決定可能なカーブに沿ってシフトされ得る。この場合、変更されたベース目標等非点収差線は、それがシフトされた制御点を通過するように計算される。
【００７１】
更に好ましくは、ベース目標等非点収差線および変更されたベース目標等非点収差線は、予め決定されあるいは予め決定可能な少なくとも１つの枢支点または固定点
【数１９】
0005666472.tif 000020
を通ることができ、この場合、枢支点または固定点では、条件
【数２０】
0005666472.tif 000021
【数２１】
0005666472.tif 000022
が満たされる。
【００７２】
第１の制御点、および随意的には更なる制御点は、例えば眼鏡着用者の個々の選好に基づいて、または自動的には収集された個々の顧客データ、例えば顧客選好、個々の選好の重み付け、使用の重点、フレーム特徴および／またはその他のパラメータに基づいて、自由にシフトされ得る。好ましくは、それぞれの制御点の最大限に許容できる外側への（すなわち、主線へ向かう）および／または内側への（すなわち、眼鏡レンズまたは眼鏡レンズ縁の外周へ向かう）シフトが特定され得る。
【００７３】
それに沿ってそれぞれの制御点をシフトさせることができるカーブの方向、特に直線の方向は、任意の方向であり得る。好ましくは、それに沿ってそれぞれの制御点が移動するあるいは移動できる直線は、正規曲線と一致する。
【００７４】
シフトされた１つの制御点または複数の制御点の位置に関連するデータから、並びに、随意的には累進帯におけるベース目標等非点収差線の経路に関連するデータに基づいて、変更されたベース目標等非点収差線のパラメータ、従って変更されたベース目標等非点収差線の経路が、一意的に決定され得る。ベース目標等非点収差線の中央帯（すなわち累進帯）が、屈折力の主線に沿う経路から、ベース目標等非点収差線の適切なパラメータ表現を用いることにより導かれるので、一般に、ベース目標等非点収差線の経路を対応して変更する上で、または、変更されたベース目標等非点収差線の経路を一意的に決定する上で、遠見部および／または近見部各々における１つまたは２つの制御点で十分である。
【００７５】
従って、例えば個々の顧客選好、眼鏡レンズの使用範囲（スポーツ、読書など）および／またはその他の個々の顧客のパラメータに応じて視覚帯のサイズを変更することが可能であり、また、簡易かつ十分な方法によって視覚帯のサイズを着用のそれぞれの個々の状況に合わせることができる。
【００７６】
例えば、近見部が広げられるべきである場合、近見部における制御点がさらに外側にシフトされ得る。その逆もまた可能である。非常にバランスのとれた眼鏡レンズデザインが生成されるべきである場合、制御点がわずかに内側にシフトされ得る。例えば、大きな、広い遠見部を有するスポーツデザインが、逆正接表現を有するバランスのとれた開始デザインから生成される場合、近見部の幅が低減され、そして遠見部の距離が最大限に拡大される。加えて、例えば大きなフレームのための視野の制限における横方向フィールド（lateral field）を有さないよう、逆正接表現から別の表現、例えば多項式表現へ切り替えることも可能である。
【００７７】
最大限に許容可能なデザイン変化は、開始デザインに基づいて予め定められ得る。
【００７８】
以下において、制御点をシフトするための手順が、近見部の制御点を参照して詳細に説明される。
【００７９】
この例において、近見部の制御点
【数２２】
0005666472.tif 000023
は、以下の直線に沿って外側へ（すなわち外周へ向かって）、または内側へ（すなわち主線に向かって）シフトされる。
【数２３】
0005666472.tif 000024
【数２４】
0005666472.tif 000025
ここで、
【数２５】
0005666472.tif 000026
は、直線の外側方向ベクトルを示し、これに沿って近見部の制御点が移動しあるいは移動でき、
【数２６】
0005666472.tif 000027
は、直線の内側方向ベクトルを示し、これに沿って近見部の制御点が移動しあるいは移動でき、
ｔは、方向ベクトル
【数２７】
0005666472.tif 000028
による直線に沿ったシフトを示す。
【００８０】
当然のことではあるが、制御点をその他のカーブに沿って対応するようシフトさせることも可能である。
【００８１】
ここで、シフトｔ、すなわち視野サイズを制限することができ、その場合、ｔａが、最大限に許容できる外側偏差を示し、ｔｉが、最大限に許容できる内側偏差を示す。このとき、例えば近見部における最大視野サイズは、直線
【数２８】
0005666472.tif 000029
に沿って制御点
【数２９】
0005666472.tif 000030
が十分外側に（すなわち、外周へ向けて）シフトされることを意味する。それに応じて、例えば近見部における最小視野サイズは、直線
【数３０】
0005666472.tif 000031
に沿って制御点
【数３１】
0005666472.tif 000032
が十分内側に（すなわち、主線へ向けて）シフトされることを意味する。
【００８２】
個々のデザインの制御点の位置が特定されている場合、ベース目標等非点収差線は、それが変換またはシフトされた１つまたは複数の制御点を通るよう変更される。制御点、従ってベース目標等非点収差線の経路が変更された後、上述のような補間によって、非点収差分布のための目標使用が決定または計算される。
【００８３】
ベース目標等非点収差線は、多くの適切な一次元の、好ましくは少なくとも１回連続的に微分可能な関数ｆ（ｙ）によって表わすことができる。驚くべきことに、関数ｆ（ｙ）を適切な方法で少数の可変パラメータによって既に表わすことが可能であり、それにより、開始デザインの計算および変換がかなり簡略化されて加速されることが分かった。
【００８４】
好ましくは、近見部または近見帯におけるベース目標等非点収差線の経路は、パラメータまたは係数ａｎ、ｂｎ、ｃｎ、ｄｎを伴う以下の関数によって表わされ、あるいは特定される。
【数３２】
0005666472.tif 000033
【００８５】
好ましくは、遠見部では、ベース目標等非点収差線の経路が、パラメータまたは係数ａｆ、ｂｆ、ｃｆを伴う以下のｎ次多項式によって表わされ、あるいは特定され得る（以下では、手短に、多項式表示とも称される）。
【数３３】
0005666472.tif 000034
【００８６】
このタイプの関数は、特にハードデザインを表す上で適している。
【００８７】
あるいは、遠見部では、ベース目標等非点収差線の経路が、パラメータまたは係数ａ、ｂ、ｃ、ｄを伴う以下の関数によって表わされ、あるいは特定され得る（以下では、手短に、逆正接表示とも称される）。
【数３４】
0005666472.tif 000035
そのような関数は、ソフトデザインを表わすのに特に適している。
【００８８】
以下においては、近見部におけるベース目標等非点収差線の変更が、例示的に詳細に説明される。
【００８９】
先に説明したように、近見帯におけるベース目標等非点収差線は、例えばパラメータまたは係数ａｎ、ｂｎ、ｃｎ、ｄｎを伴う以下の形式の関数によって表わされ得る。
【数３５】
0005666472.tif 000036
【００９０】
この関数の一次導関数は、
【数３６】
0005666472.tif 000037
である。
【００９１】
ベース目標等非点収差線は、近見部における第１の予め決定されあるいは予め決定可能な制御点
【数３７】
0005666472.tif 000038
を通過する。この点は、上述のようにシフトされる
【数３８】
0005666472.tif 000039
。
【００９２】
従って、変更されたベース目標等非点収差線は、以下の形式を有している。
【数３９】
0005666472.tif 000040
【００９３】
パラメータまたは係数ａｎ＝ａ’ｎは、適切な方法で決定または定められ得る。
【００９４】
好ましくは、（近見帯の境界上の）垂直座標ｙＮと（遠見帯の境界上の）垂直座標ｙＦとの間で延びる累進帯におけるベース目標等非点収差線の経路が変更されず、それにより、この帯域（すなわち、ｙＮとｙＦとの間）で、開始デザインのベース目標等非点収差線と、導出された個々のデザインのベース目標等非点収差線とが一致することができる。点（ｕ，ｙ＝ｙＮ）は、枢支点または固定点を構成する。
【００９５】
開始デザインのベース目標等非点収差線の経路は予め決定されているので、主線からのベース目標等非点収差線の距離ｕ、ｙ＝ｙＮでの一次導関数によって決定される、累進帯における開始デザインのベース目標等非点収差線の経路のデータに基づいて、計算され得る。
【００９６】
このデータと、シフトされた制御点の座標のデータ（すなわち、点
【数４０】
0005666472.tif 000041
におけるｕ’Ｇ）とに基づいて、一次方程式の以下の系を解くことにより、変更されたベース目標等非点収差線の残りのパラメータ、すなわち近見帯における変更されたベース目標等非点収差線の経路が、一意的に計算され得る。
【数４１】
0005666472.tif 000042
【数４２】
0005666472.tif 000043
【数４３】
0005666472.tif 000044
【００９７】
ハードデザインの遠見部におけるベース目標等非点収差線の経路は、通常、制御点を特定して操作することによっても変更され得る。特に、遠見部におけるベース目標等非点収差線は、パラメータまたは係数ａｆ、ｂｆ、ｃｆを伴う以下の関数によって表わされ得る。
【数４４】
0005666472.tif 000045
【００９８】
この関数の一次導関数は、
【数４５】
0005666472.tif 000046
である。
【００９９】
ベース目標等非点収差線は、第１の予め決定されあるいは予め決定可能な制御点
【数４６】
0005666472.tif 000047
を遠見部において通過する。この点は、前述したようにシフトされる
【数４７】
0005666472.tif 000048
。点（ｕ，ｙ＝ｙＦ）は、枢支点または固定点を構成する。
【０１００】
変更されたベース目標等非点収差線は、以下の形式を有している。
【数４８】
0005666472.tif 000049
【０１０１】
通常は、多項式の屈折力ｎが特定され、あるいは適切に定められる。
【０１０２】
変更されたベース目標等非点収差線のパラメータまたは係数は、例えば以下の方程式の系を解くことにより一意的に決定される。この場合、累進帯では、ベース目標等非点収差線の経路が不変のままである。
【数４９】
0005666472.tif 000050
【数５０】
0005666472.tif 000051
【数５１】
0005666472.tif 000052
【０１０３】
パラメータまたは係数ａ、ｂ、ｃ、ｄを伴う以下の形式の関数
【数５２】
0005666472.tif 000053
によって表わされるソフトデザインの遠見部に関しては、変更されたベース目標等非点収差線の経路を一意的に決定する上で、遠見部または遠見帯における通常２つの予め決定された制御点
【数５３】
0005666472.tif 000054
および
【数５４】
0005666472.tif 000055
で十分である。２つの制御点は、前述したようにシフトされる。
【数５５】
0005666472.tif 000056
【数５６】
0005666472.tif 000057
【０１０４】
変更されたベース目標等非点収差線のパラメータまたは係数ａ’、ｂ’、ｃ’、ｄ’、したがって遠見部におけるそれらの経路は、以下の方程式の系を解くことにより一意的に決定され得る。
【数５７】
0005666472.tif 000058
【数５８】
0005666472.tif 000059
【数５９】
0005666472.tif 000060
【数６０】
0005666472.tif 000061
この場合、座標ｙ＝ｙＦ上の点は、枢支点または固定点である。
【０１０５】
ベース目標等非点収差線の経路は、各眼鏡着用者の個々の要求に対する視覚帯（例えば遠見帯および／または近見帯）の最適な適合を達成するために、眼鏡レンズのデザイナーによって例えば直接的または手動で、または眼鏡着用者の個々のデータに基づいて自動的に適切に変更され得る。好ましくは、上述のように、ベース目標等非点収差線の経路は、少なくとも１つの制御点の位置を変更することによって変更される。この場合、少なくとも１つの制御点の位置は、眼鏡着用者の個々のデータに基づいて変更される。
【０１０６】
ベース目標等非点収差線の経路または制御点の位置を変更するときに考慮に入れられる、眼鏡着用者の個々のデータは、好ましくは、
−  遠見帯および近見帯の重み付け、および／または、
−  眼鏡レンズの用途の重点、および／または、
−  フレームおよび心取りデータ
に関連するデータを含んでいる。
【０１０７】
特に、ベース目標等非点収差線の経路または少なくとも１つの制御点の位置は、眼鏡着用者の個々の選考およびニーズ、例えば遠見帯および／または近見帯のサイズに対する選好、視覚帯（遠見帯、近見帯、および中間帯または累進帯）の重み付け、使用の重点および／またはフレームおよび心取りデータ、特に鉛直方向におけるレンズサイズおよび中心高さ、フレーム形状などに基づいて自動的に変換され得る。
【０１０８】
個々のデザインの制御点の位置が特定されている場合、ベース目標等非点収差線の経路が、それがシフトされた１つまたは複数の制御点を通るよう変更される。
【０１０９】
変更されたベース等非点収差線または少なくとも１つの制御点の位置を決定または計算する場合に考慮される眼鏡着用者の個々のデータは、以下のデータまたはデータのセットのうちの１つまたは２つ以上を更に含むことができる。
−  眼鏡レンズの主要な用途（例えば、運転、コンピュータ職場、読書、工芸など）に関連するデータ；および／または、
−  今までに着用された眼鏡レンズに関連する個々のデータ、特に、以前の眼鏡レンズが単一視、遠近両用、または、プログレッシブ眼鏡レンズであるかどうかに関する、今までに着用された眼鏡レンズに関連する個々のデータ、デザイン（ハード／ソフト）、累進長、タイプ（個別、定型）、材料（プラスチック／ケイ酸塩）、屈折率、基準点の位置、以前の眼鏡レンズの加入度数、および／または、以前の眼鏡レンズの屈折データと比べた屈折データの変化、に関連するデータ、および／または、
−  今までに着用した眼鏡に対する個々の望ましい改良、特に、より大きな遠見帯、より大きな中間帯、より大きな近見帯、読書時のより小さな下転、または低減された揺動運動、に関連するデータ、および／または、
−  環境的影響に関連するデータ（周囲の輝度など）、および／または、
−  屈折データまたは屈折力のパラメータ、特に、球面度数、円柱度数、円柱軸、加入度数；および／または、
−  眼鏡着用者の個々のパラメータ、および、眼鏡着用者の眼の前方における眼鏡レンズまたは眼鏡の個々の着用位置。個々のパラメータは、特に、瞳孔間距離、角膜頂点間距離（ＣＶＤ）、前傾（ＦＩ）、顔形角（ＦＦＡ）等を含む；および／または、
−  遠見および近見の主視野方向に関連するデータ、
−  潜在的に存在する個々の例外的な頭部および身体の姿勢に関連するデータ、および／または、
−  生理学的パラメータ、特に眼鏡着用者の１または複数の眼の個々の生理学的パラメータ、特に、矯正視力、立体視の閾値；および／または、
−  個々の物体距離、特に読書（近見作業）時の作動距離、遠見時の作動距離に関連するデータ；および／または、
−  屈折能測定における物体距離に関連するデータ：遠見および近見。
【０１１０】
また、眼鏡レンズ着用者の個々のデータは、更なる個々のパラメータを備えることができる。
【０１１１】
好ましくは、方法は、眼鏡着用者の個々のパラメータを得るステップをさらに備えている。
【０１１２】
眼鏡着用者の個々のデータ、すなわち、眼鏡着用者の個々のパラメータおよび／または個々のニーズは、例えばＲｏｄｅｎｓｔｏｃｋ  ＧｍｂＨ社による「Ｃｏｎｓｕｌｔｉｎｇ  ＦｒｅｅＳｉｇｎ」などのコンサルティングツールを用いてかなり詳細に得ることができる。顧客は、想定し得る個々のデザイン提案またはデザイン実現を直接に実演されることが好ましい。今までのところ、対応するフレキシブルレンズデザインにおける視覚帯に関する個々の顧客ニーズの実現は、十分に解決されてこなかった。通常、Ｒｏｄｅｎｓｔｏｃｋ  ＧｍｂＨ社による「Ｉｍｐｒｅｓｓｉｏｎ  Ｓｐｏｒｔ  ｅｘｔｒａｃｕｒｖｅｄ」などの特別なデザインを使用しなければならなかった。しかしながら、これらの特別なデザインは、全ての近見距離およびベースカーブを網羅していない。本発明を用いると、目標仕様を目標にされた方法で変更することにより個々の視覚帯を強調できる。例えば、近見帯の横方向の拡張を行なうことができ、これは、−顧客の要求プロファイル（高い重み付けダイナミクスまたは遠見部）に応じて−遠見帯および／または近見帯における目標等非点収差線の勾配の増大または遠見帯の減少と組み合わされてもよい。
【０１１３】
好ましくは、開始デザインの変換は、遠見および／または近見基準点の可変調整可能な（個々の）垂直位置に応じて、補間によって計算される目標非点収差値の変換（例えば、垂直方向における伸長または圧縮）を更に含んでいる。変換は、計算されるべき眼鏡レンズデザインが遠見および／または近見基準点の必要とされる垂直位置を示すように行なわれる。そのような変換は、特許出願ＰＣＴ／ＥＰ２００８／０００５８５に記載されている。
【０１１４】
ここでは、眼鏡レンズデザインは、遠見および／または近見部屈折力に関する眼鏡着用者のための処方値または眼鏡着用者のために必要とされる値（例えば屈折能測定によって決定される）がそれぞれの基準点で実現されるときの、遠見および／または近見基準点の所定の空間位置を示す。つまり、デザインと関連付けられる収差（特に、非点収差偏差および屈折誤差）が、遠見および／または近見基準点で可能な限り小さくなる（好ましくは、ほぼゼロ）ようになっている。
【０１１５】
したがって、また、開始デザインのデザイン特性を維持しつつ、遠見および近見のための基準点（遠見基準点および近見基準点）の任意の位置と、主視覚帯と、を有するプログレッシブレンズデザインが導出され最適化され得る。このため、遠見ＢＦおよび近見ＢＮのための基準点の望ましい個々の位置を単に定めれば十分である。累進面の累進帯の垂直位置および長さは、個々のユーザ状況に自動的に適合される。ここで、最適化において、遠見ＢＦおよび近見ＢＮのための基準点の任意の位置を考慮に入れることができる。
【０１１６】
同様に、開始デザインの他の目標仕様（例えば、屈折誤差、倍率などにおける目標仕様）が適切に変換あるいは変えられ得る。
【０１１７】
同様に、開始デザインは、眼鏡レンズの主線に沿う物体距離関数のための仕様を更に含むことができる。個々のデザインを計算するための方法は、開始デザインの物体距離関数の適切な変換を更に含むことが好ましい。物体距離関数の変換の変換係数は、個々の眼鏡レンズデザインの遠見および／または近見基準点における眼鏡レンズの屈折力が開始デザインの遠見および／または近見基準点における眼鏡レンズの屈折力に対応するよう、ニュートン反復によって決定される。物体距離関数の適切な変換は、前述した特許出願ＰＣＴ／ＥＰ２００８／０００５８５に記載されている。
【０１１８】
更に好ましくは、開始デザインの変換は、関数ｈ＝ｈ（Ｓ’（ｙ’），ｌＤ／ｌ）を用いて、あるいは関数ｈ＝ｈ（ｌＤ／ｌ）を用いて、目標非点収差値にスケーリングファクタｌ／ｌＤを乗じることを更に含むことができる。この場合、ｌは、個々の眼鏡レンズデザインの累進長を示し、ｌＤは、開始デザインの累進長を示す。好ましくは、ｈ（ｌＤ／ｌ）＝ａ・（ｌＤ／ｌ）＋ｂであり、ａ、ｂは一定である。
【０１１９】
また、開始デザインの変換は、目標非点収差値（補間によって決定される開始目標非点収差値または目標非点収差値）とスケーリングファクタＳとの乗算を更に含むことができる。この場合、
【数６１】
0005666472.tif 000062
となっている。
ここで、ｔは、一般に、計算されるべき眼鏡レンズまたは眼鏡レンズデザインの加入度数Ａｄｄおよび／または遠見屈折力Ｆおよび／または所定のベース加入度数ＡｄｄＢの関数ｔ＝ｔ（Ａｄｄ，Ｆ，ＡｄｄＢ）であるファクタを示し、Ａｄｄ＝ＡｄｄＢに関してｔ＝１が成り立つ。最も簡単なケースでは、ｔ＝１である。
【０１２０】
例えば、開始デザインは、ベース加入度数ＡｄｄＢのための開始目標非点収差分布を含むことができる。最初に、この開始目標非点収差分布をリスケーリングして、加入度数Ａｄｄのための目標非点収差分布を得ることができる。この場合、Ａｄｄは、計算されるべき眼鏡レンズまたは眼鏡レンズデザインの加入度である。その後、ベース目標等非点収差線の経路を前述したように変えることができ、また、ベース目標等非点収差線の新たな経路に適合される変更された目標非点収差分布を補間によって決定することができる。
【０１２１】
スケーリングファクタｓを乗じることによるベース加入度数ＡｄｄＢを伴う所定の目標非点収差分布の変換は、特許出願ＤＥ１０２００８１０５１８９．０に記載されている。
【０１２２】
本発明に係る方法は、従来のプログレッシブ眼鏡レンズおよび屈折力が最適化されたプログレッシブ眼鏡レンズのためのデザインまたはデザイン変形例を生成すること、および、個別に最適化されたプログレッシブ眼鏡レンズのためのデザインまたはデザイン変形例を生成することの両方に適する。
【０１２３】
プログレッシブ眼鏡レンズのためのデザインを生成あるいは計算するための本発明に係る方法を用いると、既に幾つかのパラメータを伴うバランスのとれた開始デザイン（例えば、汎用デザイン、近見デザインなど）から、任意の数のデザインを得ることができる。この場合、移行が滑らかである。好ましい実施形態において、開始デザインから得られる全てのデザインは、主線に沿う屈折力経路の同一特性を好ましく維持し、したがって更には、累進チャンネルにおける最小幅も好ましく維持する。その結果、全ての屈折力範囲にわたって新たなデザインを生成する必要なく、視野サイズと勾配経路とのほぼ全ての考えられる組み合わせを後で生成することができる。本発明に係る手続きを用いると、ベースデザインまたは開始デザインを直接に変更する必要がなく、更なるパラメータに基づいて最適化の直前に目標仕様を形成するための係数を適合させるだけで済むため、それにより、適切な用途デザインを迅速に得ることができる。特に、本発明に係る方法は、データベースにより制御される計算プロセスに特に適している。本発明に係る方法を用いると、異なるデザイン変形例が迅速且つ効率的に生成され、かつ互いに対して検査され得るため、従来の、屈折力が最適化されたあるいは個々のプログレッシブ眼鏡レンズを開発して形成するための労力を著しく減らすことができる。
【０１２４】
また、眼鏡着用者の近見および／または遠見基準点の自由に規定できる位置に対する適合、したがって異なる累進長に対する適合を行なうことができる。特に、既存の最適化仕様または既存の開始デザインを、任意に伸長および圧縮することができ、したがって、個々の着用状況、特に個別に決定された累進長に適合させることができる。ここでは、異なるデザイン（例えば、異なる累進長を有する異なる開始デザイン）の目標仕様の補間が必要とされない。したがって、既存の開始デザインから、異なる（更に長いあるいは更に短い）累進帯または累進長を有する変形を更に迅速且つ効率的に形成することができる。
【０１２５】
また、物体距離関数の更なる自動的な適合、したがって、目標屈折力経路の自動適合を行なうこともできる。
【０１２６】
計算された眼鏡レンズデザインは、物体側または好ましくは眼側のプログレッシブ面を有するプログレッシブ眼鏡レンズのための眼鏡レンズデザインであってもよい。反対側の面は、単純な球面または回転対称な非球面になり得ることが好ましい。また、前述した方法を使用して、二重プログレッシブ眼鏡レンズのためのデザインを計算あるいは生成することもできる。
【０１２７】
更に、本発明によれば、プログレッシブ眼鏡レンズのデザインを生成あるいは計算するための好ましい方法を実行するよう適合されたデザイン計算手段を備える、プログレッシブ眼鏡レンズのデザインを生成あるいは計算するための装置が提供される。
【０１２８】
一態様によれば、プログレッシブ眼鏡レンズのデザインを生成あるいは計算するための装置は、
−  目標仕様取得手段であって、
−  主線と、
−  主線に沿う目標非点収差値Ａ（ｕ＝０，ｙ）のための仕様と、
−  少なくとも１つのベース目標等非点収差線の経路のための仕様であって、ベース目標等非点収差線の経路が、ｕＧ（ｙ）＝ｆ（ｙ）の形式からなる一次関数によって表される、仕様と、を取得するよう適合された目標仕様取得手段と、
−  主線上の目標非点収差値Ａ（ｕ＝０，ｙ）とベース目標等非点収差線上の目標非点収差値Ａ（ｕＧ（ｙ），ｙ）との間の補間によって計算されるべきデザインの目標非点収差値の空間分布を計算するよう適合された計算手段と、を備え、
ここで、
ｕは、眼鏡レンズデザインの点（ｕ，ｙ）の主線からの水平距離を示し、
ｙは、眼鏡レンズデザインの点（ｕ，ｙ）の垂直座標を示し、
ｕＧ（ｙ）は、ベース目標等非点収差線上の点（ｕＧ（ｙ），ｙ）の主線からの水平距離を示している。
【０１２９】
さらなる態様によれば、プログレッシブ眼鏡レンズのデザインを生成あるいは計算するための装置は、予め定められた開始デザインの変換を実施するよう適合されたデザイン変換手段を備えており、
開始デザインは、                                     
−  主線の仕様と、
−  主線に沿う目標非点収差値Ａ（ｕ＝０，ｙ）のための仕様と、
−  少なくとも１つのベース目標等非点収差線の経路のための仕様であって、ベース目標等非点収差線の経路が、ｕＧ（ｙ）＝ｆ（ｙ）の形式の一次関数によって表される、仕様と、を含み、
デザイン変換手段は、
−  ベース目標等非点収差線の経路の変更ｕＧ（ｙ）→ｕ’Ｇ（ｙ）を実施するよう適合された計算手段と、
−  主線上の目標非点収差値Ａ（ｕ＝０，ｙ）と変更されたベース目標等非点収差線上の目標非点収差値Ａ（ｕＧ’（ｙ），ｙ）との間の補間によって計算されるべきデザインの目標非点収差値Ａ（ｕ，ｙ）の計算を実施するよう適合された計算手段と、を含み、
ここで、
ｕは、眼鏡レンズデザインの点（ｕ，ｙ）の主線からの水平距離を示し、
ｙは、眼鏡レンズデザインの点（ｕ，ｙ）の垂直座標を示し、
ｕＧ（ｙ）は、ベース目標等非点収差線上の点（ｕＧ（ｙ），ｙ）の主線からの水平距離を示し、
ｕＧ’（ｙ）は、変更されたベース目標等非点収差線上の点（ｕＧ’（ｙ），ｙ）の主線からの水平距離を示している。
【０１３０】
また、プログレッシブ眼鏡レンズのデザインを生成あるいは計算するための装置は、好ましくは、眼鏡着用者の個々のデータを得るよう適合された取得手段を備えている。
【０１３１】
開始デザイン、または、（主線の仕様、主線に沿う目標非点収差値の仕様、少なくとも１つのベース目標等非点収差線の経路の仕様、および随意的にその他のパラメータを含む）開始仕様は、永久的にあるいは一時的にメモリに記憶され得る。デザイン計算および／またはデザイン変換手段、特に、ベース目標等非点収差線の経路を変更するための計算手段、および／または、目標非点収差分布および／またはその空間分布を生成あるいは計算するための計算手段を備えることができるデザイン計算および／またはデザイン変換手段は、対応して構成されるあるいはプログラムされる従来のコンピュータ、専用ハードウェア、および／または、コンピュータネットワークまたはコンピュータシステムによって実施され得る。
デザイン計算および／またはデザイン変換手段、および、特にベース目標等非点収差線の経路を変更するための計算手段、および／または、目標非点収差分布および／またはその空間分布を生成あるいは計算するための計算手段は、適切なインタフェースによってメモリと信号通信することができ、特にメモリ内に記憶されたデータを読み出しおよび／または変更することができる。制御点変化手段は、ユーザが制御点の位置を変えることができるようにするインタラクティブグラフィカルユーザインタフェース（ＧＵＩ）を更に備えることができる。
【０１３２】
本発明によれば、コンピュータプログラムプロダクト、すなわち、装置クレームのカテゴリーに記載されるコンピュータプログラム、および、コンピュータプログラムが記憶されて成る記憶媒体が提供され、コンピュータプログラムは、コンピュータにロードされて実行されるときに、上述のようにプログレッシブ眼鏡レンズのデザインを生成あるいは計算するための本発明に係る好ましい方法を実行するよう適合されている。
【０１３３】
本発明によれば、プログレッシブ眼鏡レンズを形成するための方法であって、
−  デザインを生成あるいは計算するための好ましい方法にしたがって眼鏡レンズのためのデザインを計算することと、
−  計算された眼鏡レンズデザインに基づいて眼鏡レンズを計算あるいは最適化することと、
を含む方法がさらに提案される。
【０１３４】
形成方法は、
−  計算されたあるいは最適化された眼鏡レンズの表面データを与えることと、
−  与えられた眼鏡レンズの表面データにしたがって眼鏡レンズを製造することと、
をさらに備えている。
【０１３５】
製造または生産は、数値制御されるＣＮＣにより、鋳造方法により、２つの方法の組み合わせにより、あるいは、他の適した方法にしたがって行なうことができる。
【０１３６】
好ましくは、眼鏡レンズの計算または最適化は、眼鏡着用者の個々のデータを考慮してさらに実施される。
【０１３７】
本発明によれば、プログレッシブ眼鏡レンズを形成するための装置であって、
−  デザインを生成あるいは計算するための本発明による好ましい方法にしたがって眼鏡レンズのためのデザインを計算するよう適合されたデザイン計算と、
−  計算されたデザインに基づいて眼鏡レンズの計算または最適化を実施するよう適合された最適化または計算手段と、
を備える装置がさらに提案される。
【０１３８】
一態様によれば、デザイン計算手段は、
−  開始仕様取得手段であって、
−  主線の仕様と、
−  主線に沿う目標非点収差値Ａ（ｕ＝０，ｙ）のための仕様と、
−  少なくとも１つのベース目標等非点収差線の経路のための仕様であって、ベース目標等非点収差線の経路が、ｕＧ（ｙ）＝ｆ（ｙ）の形式の一次関数によって表される、仕様と、を取得するよう適合された開始仕様取得手段と、
−  主線上の目標非点収差値Ａ（ｕ＝０，ｙ）とベース目標等非点収差線上の目標非点収差値Ａ（ｕＧ（ｙ），ｙ）との間の補間によって計算されるべきデザインの目標非点収差値の空間分布を計算するよう適合された計算手段と、
を備えている。
【０１３９】
さらなる態様によれば、デザイン計算手段は、
−  ベース目標等非点収差線の経路の変更ｕＧ（ｙ）→ｕ’Ｇ（ｙ）を実施するよう適合された計算手段と、
−  主線上の目標非点収差値Ａ（ｕ＝０，ｙ）と変更されたベース目標等非点収差線上の目標非点収差値Ａ（ｕＧ’（ｙ），ｙ）との間の補間によって計算されるべきデザインの目標非点収差値Ａ（ｕ，ｙ）の計算を実施するよう適合された計算手段と、
を備えている。
【０１４０】
最適化または計算手段、並びにデザイン計算および／またはデザイン変換手段は、適切に構成されたあるいはプログラムされたコンピュータ、専用のハードウェアおよび／またはコンピュータネットワークまたはコンピュータシステム等によって実施され得る。同じコンピュータまたは同じコンピュータシステムを、例えば眼鏡レンズのためのデザインの計算および計算されたデザインに基づく眼鏡レンズの計算または最適化の両方を行なうように構成あるいはプログラムすることができる。しかしながら、デザインの計算および眼鏡レンズの計算を、計算されたデザインに基づき、別個の計算ユニットで、例えば別個のコンピュータまたはコンピュータシステムで行なうこともできる。
【０１４１】
また、プログレッシブ眼鏡レンズを形成するための装置は、眼鏡レンズを仕上げるための機械加工手段を備えることが好ましい。機械加工手段は、決定された最適化仕様にしたがってブランクを直接に機械加工するための例えばＣＮＣ制御機を備えることができる。仕上げられた眼鏡レンズは、簡単な球面または回転対称な非球面と、本発明にしたがって計算された個々のデザイン仕様および眼鏡着用者の個々のパラメータに基づいて最適化されるプログレッシブ面とを有することが好ましい。球面または回転対称な非球面は、眼鏡レンズの前面（すなわち、物体側面）であることが好ましい。無論、計算されたデザインに基づいて最適化された表面を、眼鏡レンズの前面として設けることもできる。また、眼鏡レンズの両方の面をプログレッシブ面にすることもできる。
【０１４２】
好ましくは、プログレッシブ眼鏡レンズを形成するための装置は、眼鏡着用者の個々のデータを得るための取得手段を更に備えている。特に、個々のデータは、眼鏡着用者において個々に必要とされる眼鏡レンズの個々の屈折力に関するデータを含んでいる。
【０１４３】
本発明によれば、コンピュータプログラムプロダクト（すなわち、装置クレームのカテゴリーに記載されるコンピュータプログラム）、および、コンピュータプログラムが記憶されて成る記憶媒体が提供され、コンピュータプログラムは、コンピュータにロードされて実行されるときに、プログレッシブ眼鏡レンズを計算あるいは最適化するための好ましい方法を実行するよう適合されており、該方法は、以下のステップ、すなわち、
−  プログレッシブ眼鏡レンズのデザインを生成あるいは計算するための本発明による好ましい方法にしたがって眼鏡レンズを計算するステップと、
−  計算された眼鏡レンズデザインに基づいて眼鏡レンズを計算あるいは最適化するステップと、
を含む。
【０１４４】
眼鏡着用者の視覚障害を補正するための、特定の眼鏡着用者の眼の前方の眼鏡レンズの眼鏡着用者の所定の平均着用位置または個々の着用位置での、好ましい製造方法にしたがって製造される眼鏡レンズの使用、がさらに提案される。
【０１４５】
以下、図面を参照して、本発明の好ましい実施形態を一例として説明する。
【図面の簡単な説明】
【０１４６】
【図１】第１の開始デザインの構成線および制御点である。
【図２】第１の開始デザインの目標非点収差分布である。
【図３】第２の開始デザインの構成線および制御点である。
【図４】第２の開始デザインの目標非点収差分布である。
【図５】第１の開始デザインから導出されるプログレッシブ眼鏡レンズの構成線および制御点である。
【図６】図５に示されるプログレッシブ眼鏡レンズの目標非点収差分布である。
【図７】第２の開始デザインから導出されるプログレッシブ眼鏡レンズの構成線および制御点である。
【図８】図７に示されるプログレッシブ眼鏡レンズの目標非点収差分布である。
【図９】典型的なプロセスフローの表示である。
【図１０】眼鏡レンズの外周における目標非点収差値の計算の表示である。
【０１４７】
図１，３，５および７の座標系は、先に規定されるように、眼側の累進面におけるデカルト座標系に関連する。座標中心は、眼鏡レンズの幾何学中心と一致する。対応する目標非点収差分布（図２，４，６および８）は、同一の座標系によって示されており、この場合、ｘ軸のみが、図１，３，５および７におけるｘ軸に対して鏡像反転されている。図１乃至８において、座標中心からのそれぞれの距離が、水平軸（ｘ軸）および垂直軸のそれぞれにおいてｍｍでプロットされている。
【０１４８】
図１は、第１の「ソフト」開始デザインの構成線−主線、ベース目標等非点収差線、および、更なる目標非点収差線−を示している。図２は、第１の「ソフト」開始デザインの対応する目標非点収差分布を示している。
【０１４９】
図３は、第２の「ハード」開始デザインの構成線−主線、ベース目標等非点収差線、および、更なる目標非点収差線−を示している。図４は、第２の「ハード」開始デザインの対応する目標非点収差分布を示している。図２および図４の両方において、対応するデザインの非点収差分布が、目標等非点収差線によって表されている。
【０１５０】
図１および３に示される開始デザインはそれぞれ、主線（図１における参照符号４０、および、図３における参照符号７０）、鼻（図１における参照符号１０、および、図３における参照符号５０）、および側頭（図１における参照符号１０’、および、図３における参照符号５０’）の０．５Ｄベース目標等非点収差線を有している。さらに、遠見部または遠見帯において、開始デザインはそれぞれ、鼻（図１における参照符号２０、および、図３における参照符号６０）、および側頭（図１における参照符号２０’、および、図３における参照符号６０’）の更なる０．２５Ｄベース目標等非点収差線を有している。
【０１５１】
図１に示される第１の「ソフト」開始デザインの遠見部において、ベース目標等非点収差線（側頭および鼻の両方）の経路は、パラメータａ、ｂ、ｃ、ｄを伴う関数
【数６２】
0005666472.tif 000063
によって予め定められている。
【０１５２】
図３に示される第２の「ハード」開始デザインの遠見部において、ベース目標等非点収差線（側頭および鼻の両方）の経路は、パラメータａｆ、ｂｆ、ｃｆを伴う関数
【数６３】
0005666472.tif 000064
によって予め定められている。
【０１５３】
図１および３に示される両方の開始デザインの両方の近見部において、ベース目標等非点収差線（側頭および鼻の両方）の経路は、パラメータａｎ、ｂｎ、ｃｎ、ｄｎを伴う関数
【数６４】
0005666472.tif 000065
によって定められる。
【０１５４】
図１に示される第１の「ソフト」開始デザインの遠見部において、鼻の０．５Ｄベース目標等非点収差線１０は、第１の制御点１２および第２の制御点１４を通る。第１の制御点１２は、矢印として図示されているように、直線１３に沿って動かされ得る。また第２の制御点１４は、矢印として図示されているように、直線１５に沿って動かされ得る。同様に、遠見部における鼻の更なる目標等非点収差線は、第１の制御点２２および第２の制御点２４を通る。第１の制御点は、矢印として図示されているように、直線２３に沿って動かされ得る。また第２の制御点は、矢印として図示されているように、直線２５に沿って動かされ得る。近見部において、鼻のベース目標等非点収差線は、第３の制御点１６を通る。この第３の制御点１６に沿って、矢印として図示されている直線１７が動かされ得る。
【０１５５】
側頭のベース目標等非点収差線１０’の構成は、鼻のベース目標等非点収差線の構成と等しくなっている。従って、側頭のベース目標等非点収差線もまた、第１の制御点１２’、第２の制御点１４’および第３の制御点１６’を通る。同様に、更なる側頭の目標等非点収差線２０’の構成は、鼻の更なる目標等非点収差線２０の構成と等しくなっている。従って、側頭の更なる目標等非点収差線もまた、第１の制御点２２’および第２の制御点２４’を通る。
【０１５６】
遠見部において、図３に示される開始デザインの鼻のベース目標等非点収差線５０は、第１の制御点５２を通る。この第１の制御点５２に沿って、矢印として図示されている直線５３が動かされ得る。近見部において、鼻のベース目標等非点収差線５０は、第２の制御点５４を通る。この第２の制御点５４に沿って、矢印として図示されている直線５５が動かされ得る。
側頭のベース目標等非点収差線５０’は、鼻のベース目標等非点収差線５０と同一の形状を有している。参照符号５２’および５４’は、対応する制御点を示しており、側頭のベース目標等非点収差線５０’はこれらの制御点を通る。同様に、遠見部における鼻の更なる目標等非点収差線６０は、第１の制御点６２を有しており、この第１の制御点６２は、矢印として示されている直線６３に沿って動かされ得る。側頭の更なる目標等非点収差線６０’は、対応する制御点６２’を有している。
【０１５７】
目標非点収差の分布は、外側または最大の２．５Ｄ目標等非点収差線３０を更に特定することによって決定される。２．５Ｄ目標等非点収差線３０は、目標非点収差値ＡＭＡＸ（この場合のＡＭＡＸ＝２．５Ｄ）、遠見部における予め定められた第１の直線３２に沿うベース目標等非点収差線からの最大２．５Ｄ目標等非点収差線３０の距離、および、近見部における予め定められた第２の直線３４に沿うベース目標等非点収差線からの最大２．５Ｄ目標等非点収差線３０の距離を伴う。
【０１５８】
第１の「ソフト」開始デザインおよび第２の「ハード」開始デザインの両方が変換され、この場合、垂直座標ｖＦと垂直座標ＶＮとの間において（すなわち累積帯において）、第１の開始デザインのベース目標等非点収差線１０および１０’、または第２の開始デザインのベース目標等非点収差線５０および５０’の変化が無い。
【０１５９】
図５および６は、図１に示される開始デザインから導出または変換されるプログレッシブレンズデザインの一例を示している。図５は、変更された構成線（変更された側頭および鼻のベース目標等非点収差線１０１，１０１’、および、変更された更なる側頭および鼻の目標等非点収差線２０１，２０１’）、並びに、ベース目標等非点収差線および更なる目標等非点収差線の対応するシフトされた制御点の位置を示している。図５および６において、
−  参照符号１２１，１２１’は、シフトされた制御点１２，１２’を示し、
−  参照符号１４１，１４１’は、シフトされた制御点１４，１４’を示し、
−  参照符号１６１，１６１’は、シフトされた制御点１６，１６’を示し、
−  参照符号２２１，２２１’は、シフトされた制御点２２，２２’を示し、
−  参照符号２４１，２４１’は、シフトされた制御点２４，２４’を示している。
【０１６０】
図６は、第１のデザインから導出されるデザインの目標非点収差分布を示している。導出されるプログレッシブレンズデザインは、広い近見部を有するが、しかし、横方向の遠見部における減少を有している。
【０１６１】
図７および８は、図３に示される開始デザインから導出または変換されるプログレッシブレンズデザインの一例を示している。図７は、変更された構成線（変更された側頭および鼻のベース目標等非点収差線５０１，５０１’、および、変更された側頭および鼻の更なる目標等非点収差線６０１，６０１’）、並びに、対応するシフトされた制御点の位置を示している。図７および８において、
−  参照符号５２１，５２１’は、シフトされた制御点５２，５２’を示し、
−  参照符号５４１，５４１’は、シフトされた制御点５４，５４’を示し、
−  参照符号６２１，６２１’は、シフトされた制御点６２，６２’を示している。
【０１６２】
図８は、第２の開始デザインから導出されるプログレッシブレンズデザインの目標非点収差分布を示している。導出されたプログレッシブレンズデザインは、最小の近見部幅、および、大きな、欠点の無い遠見部を有している。
【０１６３】
図９は、好ましい方法にしたがって計算される決定されたプログレッシブ眼鏡レンズデザインに基づく、（個別に最適化される）プログレッシブ眼鏡レンズの製造のための典型的な処理流れを概略的に示している。
【０１６４】
第１のステップ（Ｓ１）では、眼鏡着用者の個々のデータが取得される。眼鏡着用者の個々のデータは、入力を可能にし、随意的に眼鏡着用者の個々のデータの入力の変更を可能にする適切なグラフィカルユーザインタフェース（ＧＵＩ）によって取得される。
【０１６５】
眼鏡着用者の個々のデータは、特に、個々の屈折データ（球面度数、円柱度数、軸線、加入度数、プリズム、ベース）、個々のフレームおよび心取りデータ（垂直レンズサイズおよび心出し高さ、フレーム形状）、および、眼鏡着用者の眼の個別化パラメータまたは個々のパラメータ、および／または、眼鏡着用者の眼の前面における着用の個々の状況または眼鏡の着用位置（特に瞳孔間距離、角膜頂点間距離、前傾、顔形角など）を備えている。
【０１６６】
フレームおよび心取りデータは、使用者（例えば眼鏡技師）によって特定され得る。若しくは、フレームデータは、データベースから検索され得る。個々のパラメータ（特に瞳孔間距離、角膜頂点間距離、前傾、顔形角）は、適切な三次元測定装置、例えばローデンストックＧｍＢＨ社製のインプレッションＩＳＴなどによって自動的に決定され得る。若しくは、個々のパラメータは、従来の測定手段によって取得され得る。
【０１６７】
眼鏡着用者の個々のデータは、好ましくは、以前の眼鏡レンズに関するデータをさらに含んでおり、特に、以下のデータを含んでいる。
−  眼鏡レンズのタイプ（単一視、遠近両用、プログレッシブ）および／または累進長に関するデータ。
−  屈折力、特に以前のレンズの加入度数に関するデータ。
【０１６８】
眼鏡レンズのタイプに関するデータ（単一視、遠近両用、プログレッシブ）および以前のレンズの累進長が、遠見および近見の基準点の空間位置、屈折力、ベース目標等非点収差線の経路（または視覚帯の位置および場所）などの最適化において考慮され得る。さらに、以前のレンズに関するデータは、今までに着用した眼鏡に対する望ましい改良、例えば、より大きな遠見帯、より大きな中間帯、より大きな近見帯、読書時のより小さな下転、または低減された揺動運動、に関連するデータを含むことができる。
【０１６９】
さらに、眼鏡着用者の個々のデータは、主要な用途に関連するデータ、または、プログレッシブレンズの主要な使用焦点（例えば、運転、コンピュータ職場、読書、工芸等）に関連するデータを含むことができる。
【０１７０】
眼鏡着用者の個々のデータはまた、視覚帯（遠見帯、近見帯、および、累進帯）に対する選好に関するデータを含むことができる。このデータは、適切なグラフィカルユーザインタフェースによって例えば取得される。このデータは、好ましくは、視覚帯の個々の最適サイズまたはベース目標等非点収差線の個々の最適経路の計算において、並びに随意的には、遠見および／または近見の基準点の最適な位置および場所の計算において、考慮に入れられる。個々の視覚帯は、取得された個々の選好に基づいて、対応する重み付け（重み付け遠見、重み付け近見、重み付け中間帯、重み付けダイナミクス）を割り当てられ得る。同様に、以前に着用していた眼鏡レンズに関するデータ、および、所望の改良に関するデータから、基準点（遠見および近見の基準点）の理想的な位置が、適切に重み付けを割り付けることによる所望の改良に関して決定され得る。
【０１７１】
また、以前のレンズの材料（プラスチック／ケイ酸塩）および／または屈折率に関するデータが、取得および評価され得る。プログレッシブレンズが既に着用されている場合、以前のレンズに関するデータは、眼鏡レンズのデザイン（ハード／ソフト）および／またはプログレッシブレンズのタイプ（個別、定型）に関するデータを含むことができる。
【０１７２】
さらに、眼鏡着用者データの個々のデータは、
−  環境的影響（周囲の輝度など）、および／または、
−  遠見および近見の主視野方向、および／または、
−  潜在的に存在する例外的な頭部および身体の姿勢、および／または、
−  眼鏡着用者の眼の生理学的パラメータ、特に、矯正視力、立体視の閾値
に関連するデータを含むことができる。
【０１７３】
従って、このデータを入力し、随意的には訂正するための適切なグラフィカルユーザインタフェースが設けられていてもよい。
【０１７４】
また、個々のデータは、好ましくは、個々の物体距離、読書（近見作業）時の作業距離、遠見における作業距離に関するデータ、および／または、遠見および近みの屈折能測定における物体距離に関するデータを備えている。遠見および近見の物体距離のための仕様は、好ましくは、プログレッシブ眼鏡レンズのための個々の使用の計算および最適化において、並びに、個々の眼鏡レンズの最適化において考慮される。従って、実際の着用状況に対応する光線の経路がより正確に模擬され、従って、結像性質が改善され得る。
【０１７５】
眼鏡着用者の個々のデータが取得および評価され、また、それらのデータは、ベース目標等非点収差線の最適な経路または視覚帯の最適なサイズ、および、好ましくは基準点遠見および基準点近見の最適な空間位置の決定を制御する。
【０１７６】
第２のステップ（Ｓ２）では、得られた個々のデータに基づいて、特定の着用状況で特定の眼鏡着用者にとって最良のベース目標等非点収差線の経路、したがって、視覚帯（遠見帯、近見帯、および、累進帯）の最適なサイズおよび／または位置、並びに、随意的には遠見および／または近見基準点の最適な空間位置が計算されあるいは定められる。これは、得られた個々のデータに基づいて手動で、あるいは好ましくは自動で行なうことができる。
【０１７７】
特に、眼鏡技師が自分で、ベース目標等非点収差線の「理想的な」経路（従って、視覚帯の位置およびサイズ）を定めることができ、また、取得された個々のデータに基づいて、レンズの注文のための遠見および／または近見の基準点の「理想的な」個々の位置を定めることができる。好ましくは、しかしながら、ベース目標等非点収差線の理想的な経路、および理想的な位置は、取得された選好、および随意的には顧客の補助に関する所望の改良から自動的に計算される。
【０１７８】
更なるステップ（Ｓ３）では、ステップＳ２で決定されたベース目標等非点収差線の最適な経路を用いて、好ましくは、特定された開始デザイン８０の変換により好ましい方法にしたがって決定された遠見基準点および近見基準点の最適位置を用いて、プログレッシブレンズデザインまたはプログレッシブレンズデザインのための提案が計算される。このデザイン提案は、適切なグラフィカルユーザインタフェースによって視覚化され、その場合、ユーザには、ベース目標等非点収差線の経路を変えることによって（例えば、制御点をシフトすることによって）、随意的には遠見および／または近見基準点の個々の位置を変えることによって、および／または、個々の顧客のデータ、特に選好、フレームデータ、重み付け等を変えることによって、デザインを積極的に変更するための機会が与えられる。
【０１７９】
ベース目標等非点収差線の経路、随意的には遠見および／または近見基準点の位置、および／または、視覚帯に関する選好は、例えば適切なグラフィカルユーザインタフェースによって変えることができあるいは適合させることができる。
【０１８０】
好ましくは、新たな眼鏡レンズデザインがリアルタイムで計算されて視覚化される。好ましくは、旧来の眼鏡レンズデザインに対する新たな眼鏡レンズデザインの光学特性の違いあるいは変更が視覚化される。
【０１８１】
また、計算された（個々の）デザインまたはデザイン提案に基づき、（好ましくは三次元モジュールの形態を成す）適切なグラフィカルユーザインタフェースを用いて、眼鏡レンズの対応する幾何学的データ（中心厚さ、エッジ厚さ、ベースカーブ、重み）が同様に計算され視覚化され得る。特に、化粧特性または眼鏡レンズの審美性に関連するデータ（例えば、重みや、製造高さ、最大エッジ厚さ、中心厚さなどの幾何学的データ等）が視覚化され得る。眼鏡レンズの化粧特性の視覚化は、例えば、決定された幾何学的データを伴う眼鏡レンズのモデルの三次元グラフィック表示によって実現され得る。眼鏡レンズの化粧特性の表示は、例えばベースカーブおよび屈折率の選択によって影響され得る。選択は、屈折力に依存する場合がある。
【０１８２】
眼鏡レンズの化粧特性の視覚化に加えて、眼鏡レンズの光学特性（視覚帯、特に個々の視覚帯の空間位置およびサイズ、ベース目標等非点収差線の経路など）の視覚化を行なうことができる。視覚帯のサイズの表示は、想定し得る材料依存性を考慮に入れることなく、処方データに関連してのみ行なわれ得る。無論、材料依存性の考慮を行なうこともできる。
【０１８３】
また、視認快適性（例えば、下転、揺れ動き、周辺視野、歪み等）の視覚化をもたらすことができる。
【０１８４】
また、視覚帯、視認快適性、および／または、計算された眼鏡レンズの化粧特性または審美性に関連する性能値の適切な表示が提供されていてもよい。また、別のデザイン提案および／または別のデザイン提案の性能値が同様に与えられ得る。
【０１８５】
その後（ステップＳ４）、最終的な個々のデザインに基づいて個々のプログレッシブ眼鏡レンズが計算されあるいは最適化され、この場合、眼鏡レンズの計算または最適化において、眼鏡着用者に関連する個々のデータ（個々の着用状況、フレームデータ、眼鏡着用者の眼に関連するデータなど）が同様に考慮に入れられてもよい。数値制御された機械との直接的な適合により、鋳造法により、あるいは、他の適した方法により、最終的な計算されたあるいは最適化された眼鏡レンズを、例えばガラスまたはプラスチックから製造することができる（ステップ５）。
【０１８６】
図１０は、パラレルカーブモデル法（図１０ではＰＣモデルと称される）にしたがった、および、円錐台モデル法（図１０ではＴＣモデルと称される）にしたがった、眼鏡レンズの外周での目標非点収差値の計算を示している。
【符号の説明】
【０１８７】
１０，１０’  ベース目標等非点収差線
１２，１２’  ベース目標等非点収差線１０，１０’の第１の制御点
１３  直線であって、それに沿って制御点１２が動くことができる直線
１４，１４’  ベース目標等非点収差線１０，１０’の第２の制御点
１５  直線であって、それに沿って制御点１４が動くことができる直線
１６，１６’  ベース目標等非点収差線１０，１０’の第３の制御点
１７  直線であって、それに沿って制御点１６が動くことができる直線
２０，２０’  更なる目標等非点収差線
２２，２２’  更なる目標等非点収差線２０，２０’の第１の制御点
２３  直線であって、それに沿って制御点２２が動くことができる直線
２４，２４’  更なる目標等非点収差線２０，２０’の第２の制御点
２５  直線であって、それに沿って制御点２４が動くことができる直線
３０  外側の最大の目標等非点収差線
３２，３４  直線
４０  主線
５０，５０’  ベース目標等非点収差線
５２，５２’  ベース目標等非点収差線５０，５０’の第１の制御点
５３  直線であって、それに沿って制御点５２が動くことができる直線
５４，５４’  ベース目標等非点収差線５０，５０’の第２の制御点
５５  直線であって、それに沿って制御点５４が動くことができる直線
６０  更なる目標等非点収差線
６２，６２’  更なる目標等非点収差線６０，６０’の第１の制御点
６３  直線であって、それに沿って制御点６２が動くことができる直線
７０  主線
１０１，１０１’  変更されたベース目標等非点収差線
１２１，１２１’  変更されたベース目標等非点収差線１０１，１０１’の第１の制御点１３１  直線であって、それに沿って制御点１２１が動くことができる直線
１４１，１４１’  変更されたベース目標等非点収差線１０１，１０１’の第２の制御点１５１  直線であって、それに沿って制御点１４１が動くことができる直線
１６１，１６１’  変更されたベース目標等非点収差線１０，１０’の第３の制御点
１７１  直線であって、それに沿って制御点１６が動くことができる直線
２０１，２０１’  変更された更なる目標等非点収差線
２２１，２２１’  変更された更なる目標等非点収差線２０１，２０１’の第１の制御点２３１  直線であって、それに沿って制御点２２１が動くことができる直線
２４１，２４１’  変更された更なる目標等非点収差線２０１，２０１’の第２の制御点２５１  直線であって、それに沿って制御点２４が動くことができる直線
５０１，５０１’  変更されたベース目標等非点収差線
５２１，５２１’  変更されたベース目標等非点収差線５０１，５０１’の第１の制御点５４１，５４１’  変更されたベース目標等非点収差線５０１，５０１’の第２の制御点６０１，６０１’  更なる目標等非点収差線
６２１，６２１’  変更された更なる目標等非点収差線６０１，６０１’の第１の制御点８０  基本デザインに関するデータ
Ｓ１  個々のデータを取得すること
Ｓ２  個々のデザインを計算すること
Ｓ３  個々の眼鏡レンズを最適化または計算すること
Ｓ４  眼鏡レンズを加工すること
ｖＦ  広い遠見部−累進帯上の垂直座標
ｖＮ  広い近見部−累進帯上の垂直座標
【図１】
0005666472.tif 000081
【図２】
0005666472.tif 000082
【図３】
0005666472.tif 000083
【図４】
0005666472.tif 000084
【図５】
0005666472.tif 000085
【図６】
0005666472.tif 000086
【図７】
0005666472.tif 000087
【図８】
0005666472.tif 000088
【図９】
0005666472.tif 000089
【図１０】
0005666472.tif 000090